(57)【要約】【課題】釣糸等の糸状体を付けた遊技球を不正に操作して遊技球の入賞を検出させる不正入賞行為を効果的に抑止することが可能な構成の弾球遊技機を提供する。【解決手段】前面側に所定の遊技領域が設けられた遊技盤と、遊技盤を収容保持する枠部材と、枠部材における遊技盤の下側に設けられ、前面側で遊技球を貯留する球皿と、枠部材における球皿の背面側に設けられ、球皿に貯留された遊技球を遊技領域に向けて打ち出す発射機構とを備え、球皿から発射機構へ遊技球を供給する整流器５０における球出口７４の近傍に、整流器５０内の球供給通路５１に通された糸状体Ｉを受容して挟むことが可能な受容部材１００が設けられる。【選択図】図８
2014138838.tif 000002
【特許請求の範囲】
【請求項１】
前面側に所定の遊技領域が設けられた遊技盤と、
前記遊技盤を収容保持する枠部材と、
前記枠部材における前記遊技盤の下側に設けられ、前面側で遊技球を貯留する球皿と、
前記枠部材における前記球皿の背面側に設けられ、前記球皿に貯留された遊技球を前記遊技領域に向けて打ち出す発射機構とを備え、
前記球皿から前記発射機構へ遊技球を流下させる球供給通路における前記球供給通路の延伸方向が変わる方向転換部の近傍に、前記球供給通路に通された糸状体を受容して挟むことが可能な受容部材が設けられることを特徴とする弾球遊技機。
【発明の詳細な説明】
【技術分野】
【０００１】
本発明は、パチンコ機等の弾球遊技機に関し、さらに詳しくは、入賞口に入球した遊技球を不正に操作して連続的に遊技球の入賞を検出させる不正行為を防止するように構成した弾球遊技機に関する。
【背景技術】
【０００２】
弾球遊技機の代表例であるパチンコ機には、前面に遊技領域を形成する遊技盤を立設姿勢で収容保持した前枠に、前面に遊技球の処理経路を一体に設けるとともに、背面に各種制御基板が取り付けられる裏セット盤を取り付けて構成され、発射装置により遊技領域上部に導いた遊技球を落下させる過程で遊技領域内に設けた各種の入賞装置に入賞させる遊技を行うように構成されている。
【０００３】
このようなパチンコ機では、遊技球が一般入賞装置に入球した場合にはそれに対応した個数の賞球が払い出され、始動入賞装置に入球した場合にはこれに基づいて当り外れや演出パターンの抽選が行われるとともに所定個数の賞球が払い出されるようになっている。この抽選に当選して大当たりが発生したときには、遊技者に有利な特別遊技状態に移行して、一般にアタッカーと称される大入賞装置の入賞口が複数回連続的に開放し、入球個数に対応した相当数の賞球が払い出されることとなる（例えば、特許文献１を参照）。
【先行技術文献】
【特許文献】
【０００４】
【特許文献１】特開２００９−２６８５６６号公報
【発明の概要】
【発明が解決しようとする課題】
【０００５】
パチンコ機には、各種入賞装置に対応して通過型センサ等からなる入賞球検出器が設けられており、この入賞装置に入球する遊技球が入賞球検出器を通過することによって該入賞装置での遊技球の入賞が検出され、入球個数に応じた賞球の払い出しや当り外れの抽選等が適時実行されるようになっている。ここで、正常な遊技では原則として遊技球１球につき１回のみ入賞球検出器への通過が検出されるものであるが、近年においては、所定長さの釣糸等の糸状体を付けた遊技球を入賞装置に入球させて、該糸状体を手前に引っ張ったり奥側へ送り込んだりする不正な操作をすることで、この遊技球を入賞球検出器に何度も繰り返し通過させて（遊技球の連続入賞を検出させて）、多数の賞球を払い出させる不正入賞行為（ゴト行為）が頻発しており、その被害が業界内で問題になってきている。そのため、遊技機メーカ各社においても、このような不正入賞行為を効果的に抑止する策を講じることが課題となっている。
【０００６】
本発明は、このような課題に鑑みてなされたものであり、釣糸等の糸状体を付けた遊技球を不正に操作して遊技球の入賞を検出させる不正入賞行為を効果的に抑止することが可能な構成の弾球遊技機を提供することを目的とする。
【課題を解決するための手段】
【０００７】
このような目的達成のため、本発明に係る弾球遊技機は、前面側に所定の遊技領域が設けられた遊技盤と、前記遊技盤を収容保持する枠部材と、前記枠部材における前記遊技盤の下側に設けられ、前面側で遊技球を貯留する球皿と、前記枠部材における前記球皿の背面側に設けられ、前記球皿に貯留された遊技球を前記遊技領域に向けて打ち出す発射機構とを備え、前記球皿から前記発射機構へ遊技球を流下させる球供給通路における前記球供給通路の延伸方向が変わる方向転換部の近傍に、前記球供給通路に通された糸状体を受容して挟むことが可能な受容部材が設けられる。
【発明の効果】
【０００８】
本発明によれば、糸状体の付いた遊技球を不正に操作して遊技球の入賞を検出させる不正入賞行為を効果的に抑止することができる。
【図面の簡単な説明】
【０００９】
【図１】第１実施形態に係るパチンコ機の正面図である。
【図２】第１実施形態に係るパチンコ機の背面図である。
【図３】前枠の正面図である。
【図４】球皿ユニットの背面図である。
【図５】遊技盤の正面図である。
【図６】主制御装置、副制御装置および払出制御装置の制御形態を示すブロック図である。
【図７】球皿ユニットの断面を示す背面斜視図である。
【図８】整流器の外観図である。
【図９】整流器の断面図である。
【図１０】整流器の斜視図である。
【図１１】整流器の変形例を示す斜視図である。
【図１２】第１の変形例に係る遊技球発射装置及び遊技球回収機構が設けられた遊技補助盤を示す正面図である。
【図１３】遊技球発射装置及び遊技球回収機構においてハンマーが発射待機位置にある状態を示す正面図である。
【図１４】遊技球発射装置及び遊技球回収機構においてハンマーが発射完了位置にある状態を示す正面図である。
【図１５】図１３における矢印XV−XVに沿って示す要部断面図である。
【図１６】図１４における矢印XVI−XVIに沿って示す要部断面図である。
【図１７】図１３の状態において遊技球発射装置及び遊技球回収機構を背面から見た図である。
【図１８】図１４の状態において遊技球発射装置及び遊技球回収機構を背面から見た図である。
【図１９】ファール球の流れを主として示す発射レール部等の正面図である。
【図２０】糸付球の流れを主として示す発射レール部等の正面図である。
【図２１】遊技盤の変形例を示す正面図である。
【図２２】第２の変形例に係る球戻り抑止部材の上面図及び正面図である。
【図２３】第２の変形例に係る球戻り抑止部材の分解斜視図である。
【図２４】第２の変形例に係る球戻り抑止部材の動作を説明するための図である。
【図２５】第２の変形例に係る球戻り抑止部材の作用を説明するための図である。
【図２６】第３の変形例に係る球戻り抑止部材の斜視図である。
【図２７】第３の変形例に係る球戻り抑止部材の正面図及び断面図である。
【図２８】第３の変形例に係る球戻り抑止部材の作用を説明するための図である。
【図２９】第４の変形例に係る球戻り抑止部材の正面図及び断面図である。
【図３０】第２実施形態に係るパチンコ機を正面側から見た斜視図である。
【図３１】第２実施形態に係るパチンコ機のガラス扉および上球皿を開放して示す斜視図である。
【図３２】第２実施形態に係るパチンコ機を背面側から見た斜視図である。
【図３３】整流器が取り付けられた上球皿を背面側から見た斜視図である。
【図３４】整流器の背面斜視図である。
【図３５】整流器の背面図である。
【図３６】整流器の球抜き部材が球抜き口閉鎖位置に位置する状態を示す正面図である。
【図３７】整流器の球抜き部材が球抜き口開放位置に位置する状態を示す正面図である。
【図３８】整流器の球送り部材が連絡口閉鎖位置に位置する状態を示す側断面図である。
【図３９】整流器の球送り部材が連絡口開放位置に位置する状態を示す側断面図である。
【発明を実施するための形態】
【００１０】
以下、本発明の好ましい実施形態について図面を参照して説明する。まず、本発明に係る弾球遊技機を適用したパチンコ機ＰＭの概要構成を図１〜図６を参照しながら説明する。
【００１１】
第１実施形態に係るパチンコ機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３ａ，３ｂにより横開き開閉および着脱が可能に取り付けられ、正面右側縁部に設けられたダブル錠と称される施錠装置４を利用して常には外枠１と係合連結された閉鎖状態に保持される。
【００１２】
前枠２の前面側には、前枠２の上部前面域に合わせた方形状のガラス扉５および球皿ユニット６が正面左側部に設けられたヒンジ機構７ａ，７ｂ，７ｃを利用して横開き開閉および着脱可能に組み付けられ、施錠装置４を利用して常には前枠２の前面を覆う閉鎖状態に保持される。球皿ユニット６の正面右側下部には遊技球の発射操作を行う発射ハンドル８が設けられている。ガラス扉５の背後に位置する前枠２の上部には、遊技盤１０を着脱可能に収容する方形枠状の収容枠（図示せず）が設けられており、この収容枠に所定のゲージ設定で構成された遊技盤１０が着脱可能にセット保持され、常には閉鎖保持されるガラス扉５を通して遊技盤１０の正面の遊技領域ＰＡを臨ませるようになっている。
【００１３】
遊技盤１０は、図５に示すように、ルータ加工等を施した矩形状の積層合板に、所定の図柄が印刷されたセルを貼り付けて成型される化粧板１１を基板として構成される。化粧板１１の前面には、飛送レール１２ａ及び内レール１２ｂが円弧状に固設されて遊技球が転動可能な略円形の遊技領域ＰＡが区画形成されている。飛送レール１２ａ及び内レール１２ｂにより遊技球を遊技領域ＰＡに誘導する発射通路１２が形成され、この発射通路１２における遊技球の出口開口１２ｃの近傍位置（内レール１２ｂの先端部）に、発射通路１２を通って出口開口１２ｃから遊技領域ＰＡ内に放出された遊技球が再び発射通路１２に逆戻りするのを防止する球戻り防止装置１３が設けられている。
【００１４】
遊技盤１０の遊技領域ＰＡには、多数本の遊技釘とともに、風車や各種の入賞装置１４，１５，１６，１７、遊技の進行状況に応じて各種の演出パターンの画像および図柄を表示する図柄表示装置１８などの遊技構成部品が取り付けられている。また、遊技領域ＰＡの下端には、各入賞装置に入賞せずに落下した遊技球を遊技盤１０の裏面側へ排出させるアウト口１９が設けられている。
【００１５】
図３に示すように、前枠２の前面下部には、球皿ユニット６の背後に位置して遊技盤１０と上下に整合し得る遊技補助盤２０が形成されており、この遊技補助盤２０の各部に、遊技盤１０へ向けて遊技球を発射する発射機構２１、前枠２の前後に連通して形成された賞球連絡通路２２および溢れ球通路２３、遊技領域ＰＡに到達できずに発射通路１２を戻ってくる遊技球（すなわちファール球）を回収する遊技球回収機構２４などが設けられている。なお、詳細な図示を省略するが、発射機構２１の前方には、この発射機構２１の前面側を覆うカバー部材（図示せず）が着脱自在に取り付けられている。このカバー部材（図示せず）は、例えばＡＢＳ樹脂などの樹脂材料を用いて射出成形等の成形手段で形成されている。
【００１６】
常には遊技補助盤２０を覆って閉鎖状態に保持される球皿ユニット６の背面側には、図４に示すように、遊技補助盤２０に設けられた各機器に対応した機構装置が装備されている。すなわち、発射機構２１に対応して上球皿６ａに貯留された遊技球を１球ずつ発射機構２１に送り出す整流器５０が設けられ、賞球連絡通路２２に位置整合して賞球連絡通路２２から流下する遊技球を上球皿６ａに導く上球皿連絡ダクト２７が設けられ、溢れ球通路２３に位置整合して溢れ球通路２３から流下する遊技球を下球皿６ｂに導く下球皿連絡ダクト２８が設けられている。なお、球皿ユニット６の内部には、図７に示すように、上球皿６ａから発射機構２１（整流器５０）へ遊技球を流下させる第１の球供給通路２９ａが形成される。また、球皿ユニット６の内部には、第１の球供給通路２９ａを流下する遊技球を図示しない球抜き機構により下球皿６ｂに導く球抜き通路２９ｂが、下球皿連絡ダクト２８に繋がって形成されている。
【００１７】
前枠２の裏面側には、図２に示すように、外枠１の内寸サイズよりも幾分小さめの矩形枠状に形成された裏セット盤３０が着脱可能に取り付けられている。裏セット盤３０は、遊技盤１０の背後に位置する上部領域に、前後連通して開口する大型の窓口開口３０ａを有する枠状に形成されており、この窓口開口３０ａの上方に、遊技球を貯留する球貯留タンク３１、及び球貯留タンク３１と繋がって下方に若干傾斜するタンクレール３２が設けられ、背面視における窓口開口３０ａの右側に、タンクレール３２により前後各１列の整列状態で導かれた遊技球を遊技盤１０における入賞状態に基づいて払い出す球払出装置３３、球払出装置３３から払い出された遊技球を球皿ユニット６の上球皿６ａに導く球払出通路３４などの賞球機構が設けられている。
【００１８】
このため、球払出装置３３によって払い出され球払出通路３４から賞球連絡通路２２の後端部に流入した遊技球は、通常では、この賞球連絡通路２２を前方に流下し、上球皿連絡ダクト２７内の通路を通って上球皿６ａに達する。一方で、上球皿６ａが遊技球で満たされたときには、球払出装置３３によって払い出された遊技球は、賞球連絡通路２２から溢れ球誘導口（図示せず）を通過して溢れ球通路２３を流下し、下球皿連絡ダクト２８内の通路を通って下球皿６ｂに達する。
【００１９】
また、裏セット盤３０の背面には、制御装置、電子部品に電力を供給する電源ユニット４１、パチンコ機ＰＭの作動を統括的に制御する主制御装置（メイン制御基板）４２、画像表示、効果照明および効果音等の遊技演出の制御を行う副制御装置（サブ制御基板）４３、球払出装置３３の作動を制御する払出制御装置４４等の各種基板や電子部品などが取り付けられ、これらが図示省略するコネクタケーブルで接続されてパチンコ機ＰＭが作動可能に構成される。
【００２０】
このように概要構成されるパチンコ機ＰＭにあって、遊技領域ＰＡに発射された遊技球が各入賞装置に落入したときの遊技球の払い出し処理について、関連する各部の構成をもう少し詳しく説明する。遊技盤１０に設けられる入賞装置には、その外観意匠や入賞時の動作を含めて種々の形態のものがあり、ゲージ設定に応じてどのような形態の入賞装置を用いるものであってもよいが、例えば図５に例示した遊技盤１０では、一般入賞装置１４、始動入賞装置１５、大入賞装置１６，１７の３種類の入賞装置を設けた例を示している。
【００２１】
一般入賞装置１４は、遊技球が落入可能な入賞口１４ａを有する固定入賞具であり、この入賞口１４ａに落入したセーフ球はセーフ球通路を通って化粧板１１の裏面側に排出され、該裏面側に設けられた入賞球検出器１４ｓ（図６を参照）を通過することによって入賞が検出されるようになっている。入賞球検出器１４ｓは、遊技球の通過を検出可能な通過型センサである限り特に限定されず、例えば、磁気センサや光センサ、近接スイッチ等の非接触動作型でも、マイクロスイッチのような接触動作型でもよい（以下に示す入賞球検出器１５ｓ，１６ｓ，１７ｓにおいても同様とする）。
【００２２】
始動入賞装置１５は、遊技球が落入可能な入賞口１５ａを有し、図柄の変動開始の条件を定める入賞具であり、この入賞口１５ａに落入したセーフ球はセーフ球通路を通って化粧板１１の裏面側に排出され、該裏面側に設けられた入賞球検出器１５ｓ（図６を参照）を通過することによって入賞が検出されるようになっている。
【００２３】
大入賞装置１６，１７は、遊技球が落入可能な入賞口１６ａ，１７ａを有し、いわゆるアタッカー型の可動入賞装置であり、横長方形状の大入賞口１６ａ，１７ａを覆う開閉扉が開閉可能に取り付けられている。開閉扉は通常閉止されており、遊技中における所定の入賞条件の下で特別遊技状態が成立したときに、開閉扉の上部が前方にほぼ９０度倒されて大入賞口１６ａ，１７ａが開放される。大入賞口１６ａ，１７ａに落入したセーフ球はセーフ球通路を通って化粧板１１の裏面側に排出され、該裏面側に領域開口に対応して設けられた入賞球検出器１６ｓ，１７ｓ（図６を参照）を通過することによって入賞が検出されるようになっている。なお、入賞球検出器１４ｓ，１５ｓ，１６ｓ，１７ｓにより検出された遊技球は、遊技済み球排出通路を流下して遊技施設の遊技島の回収装置に排出される。
【００２４】
以上のように構成されるパチンコ機ＰＭは、外枠１が遊技施設の遊技島（設置枠台）に固定設置され、前枠２、ガラス扉５、球皿ユニット６等が閉鎖施錠された状態で遊技に供され、球皿ユニット６の上球皿６ａに遊技球を貯留させて発射ハンドル８を回動操作することにより遊技が開始される。発射ハンドル８が回動操作されると、上球皿６ａに貯留された遊技球が、球皿ユニット６の裏面側に配設される整流器５０によって１球ずつ発射機構２１に送り出され、発射機構２１のハンマー２１ａにより遊技領域ＰＡに打ち出されてパチンコゲームが展開される。
【００２５】
さて、このように概要構成されるパチンコ機ＰＭにおいて、正常な遊技では原則として遊技球１球につき１回のみ入賞球検出器への通過が検出されるものであるが、近年においては、入賞装置に落入した１個の遊技球を不正な操作によって入賞球検出器の導入口に連続して通過させて、多数の賞球を払い出させる不正入賞行為（ゴト行為）が頻発している。
【００２６】
この代表的な手口を概要説明すると、まず、所定長さを有する釣糸等の糸状体の一端側を遊技球に固着させ、この糸状体の他端側を不正行為者自身が掌で掴み、このような細工を施した遊技球（以下において「糸付球」と称する）を上球皿６ａに貯留された他の遊技球の間に忍ばせて、他の遊技球とともに上球皿６ａから１球ずつ順番に発射機構２１へ供給させて発射機構２１により発射通路１２を通して遊技領域ＰＡ内へ送り込む。糸付球が遊技領域ＰＡまで達すると、ガラス扉５の外側から強力な磁石を用いてこの遊技球を入賞装置（１回の賞球数が最も多い一般入賞装置１４が狙われ易い傾向にある）まで誘導して当該入賞装置の入賞口へ落入させる。遊技球が入賞口からセーフ球通路に導かれて入賞球検出器の導入口を通過すると、主制御装置４２により遊技球の入賞が検出されて球払出装置３３により入賞条件に応じた個数の賞球が上球皿６ａへ払い出されることになる。不正行為者は、このように賞球が払い出されたことをもって、糸付球がターゲットである入賞球検出器へ到達したことを認識し、自身の掌に掴んでいる糸状体の他端側を手前に引っ張ったり奥側へ送り込んだりする操作をして、糸付球を入賞球検出器の導入口に何度も繰り返し通過させることで、遊技球の連続入賞を不正に検出させて多数の賞球を獲得している。これが、最近になって頻発している糸付球を用いた不正入賞行為の全貌である。
【００２７】
そこで、このような不正入賞行為を防止すべく、第１実施形態のパチンコ機ＰＭでは、整流器５０に不正防止具（詳細は後述する受容部材１００および切断部材１１０）が設けられている。以下、図７〜図１０の各図を追加参照しながら、整流器５０について説明する。整流器５０は、図７〜図１０に示すように、第１ケース部材６０と、第２ケース部材７０と、球送り部材８０と、ソレノイド９０とを有して構成される。
【００２８】
第１ケース部材６０は、図７および図９に示すように、ポリカーボネート（ＰＣ）等の樹脂材料を用いて、射出成形等の成形手段により板状に形成される。一方、第２ケース部材７０は、図８および図１０に示すように、ポリカーボネート（ＰＣ）等の樹脂材料を用いて、射出成形等の成形手段により開口部を有する箱状に形成される。第１ケース部材６０と第２ケース部材７０とは、それぞれの四隅に形成された係合部を互いに係合させることにより、箱型に組み立てられる。箱型に組み立てられた第１ケース部材６０および第２ケース部材７０の内部には、図９に示すように、上球皿６ａ（第１の球供給通路２９ａ）から発射機構２１へ遊技球を流下させる第２の球供給通路５１が形成される。
【００２９】
第１ケース部材６０の側壁部６１の上部には、図９に示すように、第１の球供給通路２９ａの下流部と第２の球供給通路５１の上流部５１ａとを連通させる球入口６２が形成されており、第１の球供給通路２９ａの下流端に達した遊技球がこの球入口６２を通過して第２の球供給通路５１を流下するようになっている。また、第１ケース部材６０の側壁部６１の中間部には、球送り部材８０に形成された揺動ストッパ（図示せず）を挿通させる揺動規制穴６３が形成されている。
【００３０】
第２ケース部材７０の側壁部７１の内側には、図９に示すように、第２の球供給通路５１の上流部５１ａを構成する通路床部７２や傾斜壁部７３等が形成され、通路床部７２と傾斜壁部７３との間には、第２の球供給通路５１の上流部５１ａと下流部５１ｂとを連通させる連通口５２が形成される。また、第２ケース部材７０の側壁部７１には、図８に示すように、第２の球供給通路５１の下流部５１ｂと繋がる球出口７４が形成されており、第２の球供給通路５１の下流部５１ｂに達した遊技球がこの球出口７４を通過して発射機構２１へ流下するようになっている。また、球出口７４の図８における上側および右側の縁部には、逆Ｌ字形のガイド部７５が球皿ユニット６の背面側へ突出するように形成されている。
【００３１】
球送り部材８０は、図９に示すように、ポリアセタール樹脂（ＰＯＭ）等の樹脂材料を用いて、射出成形等の成形手段により図示する形状に形成され、球受容部８１と、球送りレール部８２と、棹部８３とを有して構成される。また、球送り部材８０は、軸部材８５を用いて、箱型に組み立てられた第１ケース部材６０および第２ケース部材７０の内部に揺動自在に取り付けられる。球送り部材８０の側部には、第１ケース部材６０の揺動規制穴６３に挿通される突起状の揺動ストッパ（図示せず）が形成され、揺動規制穴６３の形状により球送り部材８０の揺動範囲が規制されて、球受容部８１が連通口５２を閉鎖して球送りレール部８２が球出口７４を開放する球出口開放位置（図９の実線を参照）と、球受容部８１が連通口５２を開放して球送りレール部８２が球出口７４を閉鎖する球出口閉鎖位置（図９の二点鎖線を参照）との間で、球送り部材８０が揺動可能に構成される。
【００３２】
球受容部８１は略Ｌ字形に形成され、球受容部８１の下部に軸部材８５が連結される。そして、球受容部８１は、球送り部材８０が球出口閉鎖位置に変位すると、球受容部８１の上部が連通口５２を開放して、連通口５２を通過した遊技球を１球だけ受け入れて保持し、球送り部材８０が球出口開放位置に変位すると、球受容部８１の上部が連通口５２を閉鎖して、保持した遊技球を球送りレール部８２へ送るようになっている。
【００３３】
球送りレール部８２は、基端部が球受容部８１の下部に繋がるとともに、先端部が第２ケース部材７０の球出口７４から球皿ユニット６の背面側へ突出して伸びる板状に形成される。そして、球送りレール部８２は、球送り部材８０が球出口閉鎖位置に変位すると、球出口７４を閉鎖し、球送り部材８０が球出口開放位置に変位すると、球出口７４を開放して球受容部８１から送られた遊技球を発射機構２１へ流下させるようになっている。すなわち、球受容部８１および球送りレール部８２は、第２の球供給通路５１の下流部５１ｂを構成する。なお、球送りレール部８２の上面は、先端部に向けて下傾するだけでなく、ガイド部７５に向けても下傾しており、遊技球がガイド部７５に沿って球送りレール部８２上を転がるようになっている。
【００３４】
棹部８３は、球受容部８１の下端部から下方へ伸びる棒状に形成され、球送り部材８０が球出口開放位置に変位すると、ソレノイド９０に当接（もしくは隣接）するようになっている。棹部８３の内部には、永久磁石８６が取り付けられている。
【００３５】
ソレノイド９０は、図９に示すように、箱型に組み立てられた第１ケース部材６０および第２ケース部材７０の内部における棹部８３の近傍に取り付けられる。ソレノイド９０にはソレノイド制御基板９１が電気的に接続されており、ソレノイド制御基板９１から出力された駆動信号によりソレノイド９０が駆動される。ソレノイド９０がオン作動すると、ソレノイド９０から発生した磁力を受けて、永久磁石８６がソレノイド９０から離れる方向へ移動し、永久磁石８６が取り付けられた球送り部材８０が球出口閉鎖位置に揺動変位するようになっている。一方、ソレノイド９０がオフ作動すると、永久磁石８６が重力の作用により下方へ移動し、永久磁石８６が取り付けられた球送り部材８０が球出口開放位置に揺動変位するようになっている。
【００３６】
ところで、第２の球供給通路５１は、上流部５１ａから下流部５１ｂにかけて概ね左右方向に伸びているが、下流部５１ｂにおける球出口７４の部分で延伸方向が直角に（前後方向に）折れ曲がる。このように（第２の）球供給通路５１の延伸方向が変わる方向転換部の近傍に、より具体的には、整流器５０における球出口７４の近傍に、第１および第２の球供給通路２９ａ，５１に通された糸状体Ｉ（図８を参照）を受容して挟むことが可能な受容部材１００と、受容部材１００に受容された糸状体Ｉを切断可能な切断部材１１０が設けられる。
【００３７】
受容部材１００は、図１０に示すように、ステンレス鋼等の金属線材を用いて「山」の字形に曲げ形成され、糸状体導入部１０１と、糸状体受容部１０２と、第１取付部１０３ａと、第２取付部１０３ｂとを有して構成される。糸状体導入部１０１は、受容部材１００の基端部中央に位置して、受容部材１００の基端部から先端側へ向かうにつれて間隔が狭くなるテーパー状に形成される。糸状体受容部１０２は、糸状体導入部１０１と繋がる受容部材１００の先端側に位置して、細長いＵ字形に形成される。Ｕ字形に形成された糸状体受容部１０２の間隙部は、所定の糸状体Ｉ（例えば、釣糸や凧糸等）よりも若干細い幅に設定される。第１取付部１０３ａは、受容部材１００の一方の側端部に位置して、整流器５０の突起部７７ａが挿通可能な円環状に形成される。第２取付部１０３ｂは、受容部材１００の他方の側端部に位置して、第２取付部１０３ｂをネジ固定するためのネジ１２０が挿通可能な円環状に形成される。
【００３８】
切断部材１１０は、図１０に示すように、炭素鋼やステンレス鋼等の金属板材を用いて薄板状に形成され、本体部１１１と、刃部１１２とを有して構成される。本体部１１１には、整流器５０の突起部７７ａが挿通可能な第１取付穴１１３ａと、ネジ１２０が挿通可能な第２取付穴１１３ｂとが形成されている。刃部１１２は、本体部１１１の縁部に形成されて、受容部材１００の糸状体受容部１０２に達した糸状体Ｉを切断可能に構成される。
【００３９】
整流器５０における第２ケース部材７０の側壁部７１の外側には、切断部材１１０の形状に合わせて形成された凹部７６が形成されており、切断部材１１０がこの凹部７６に受容された状態で整流器５０に取り付けられるようになっている。凹部７６には、切断部材１１０の第１取付穴１１３ａおよび受容部材１００の第１取付部１０３ａに挿通される突起部７７ａと、ネジ１２０が螺合されるネジ穴７７ｂとが形成される。なお、突起部７７ａの外径に対して、受容部材１００の第１取付部１０３ａの内径が若干大きくなるように形成される。これにより、突起部７７ａと第１取付部１０３ａとの間の隙間の分だけ、受容部材１００を弾性変形させることができるため、受容部材１００の糸状体受容部１０２の間隙部よりも太い糸状体Ｉを受容部材１００（糸状体受容部１０２）で受容して挟むことが可能となる。
【００４０】
第２ケース部材７０の側壁部７１の外側における凹部７６の斜め上方には、受容部材１００の先端部が挿入固定される受容部材固定部７８が形成される。また、第２ケース部材７０の側壁部７１における凹部７６の斜め下方には、凹部７６と球出口７４（すなわち、第２の球供給通路５１における方向転換部）とに繋がって、受容部材１００の糸状体導入部１０１および切断部材１１０の刃部１１２を露出させるスリット部７９が形成される。このスリット部７９は、整流器５０に取り付けられた受容部材１００（糸状体受容部１０２）の延伸方向に沿って斜め方向へ伸びるように形成される。
【００４１】
受容部材１００および切断部材１１０を整流器５０に取り付けるには、まず、切断部材１１０の第１取付穴１１３ａを整流器５０の突起部７７ａに挿通させて、切断部材１１０を整流器５０の凹部７６に嵌め込む。次に、受容部材１００の先端部を受容部材固定部７８に挿入するとともに、受容部材１００の第１取付部１０３ａを整流器５０の突起部７７ａに挿通させ、ワッシャ１２１とともにネジ１２０を受容部材１００の第２取付部１０３ｂおよび切断部材１１０の第２取付穴１１３ｂに挿通させて整流器５０のネジ穴７７ｂに螺合させる。これにより、切断部材１１０が凹部７６に受容された状態で整流器５０に取り付けられ、受容部材１００が切断部材１１０に重なった状態で切断部材１１０とともに整流器５０に取り付けられる。
【００４２】
このようにして受容部材１００および切断部材１１０が取り付けられた整流器５０において、上球皿６ａに貯留された遊技球は、第１の球供給通路２９ａを流下して球入口６２を通過し、第２の球供給通路５１の上流部５１ａを流下して球送り部材８０の球受容部８１によって閉鎖された連通口５２に達する。この状態で、発射ハンドル８が回動操作されると、ソレノイド９０がオン作動とオフ作動を繰り返して、第２の球供給通路５１の連通口５２に達した遊技球が１球ずつ発射機構２１に供給される。
【００４３】
このとき、ソレノイド９０がオン作動すると、球送り部材８０が球出口閉鎖位置に揺動変位するため、球受容部８１の上部で受け止められていた遊技球は連通口５２を通過し、連通口５２を開放した球受容部８１が連通口５２を通過した遊技球を１球だけ受け入れて保持する。一方、ソレノイド９０がオフ作動すると、球送り部材８０が球出口開放位置に揺動変位するため、球受容部８１に保持された遊技球は、球送りレール部８２に送られて第２の球供給通路５１の下流部５１ｂを流下し、球出口７４から発射機構２１へ送り出される。
【００４４】
このようにして、第１の球供給通路２９ａおよび第２の球供給通路５１を流下する遊技球が整流器５０により１球ずつ発射機構２１に送り出され、発射機構２１のハンマー２１ａにより遊技領域ＰＡに打ち出される。そして、発射機構２１の発射動作ごとにソレノイド９０をオン・オフ作動させ、球送り部材８０を球出口閉鎖位置と球出口開放位置とに交互に変位させることで、発射機構２１が発射動作を行うごとに、第１の球供給通路２９ａおよび第２の球供給通路５１を流下する遊技球が１球ずつ連続的に発射機構２１へ供給される。
【００４５】
上球皿６ａに貯留された遊技球の中に糸付球が存在すると、当該糸付球は、他の遊技球とともに上球皿６ａから第１の球供給通路２９ａおよび第２の球供給通路５１を流下して、整流器５０により発射機構２１に送り出され、発射機構２１のハンマー２１ａにより遊技領域ＰＡに打ち出される。このとき、糸付球に固着された糸状体Ｉは、第１の球供給通路２９ａおよび第２の球供給通路５１に通された状態で、不正行為者に引っ張られると真直ぐに伸びようとする。本実施形態では、（第２の）球供給通路５１の延伸方向が変わる方向転換部の近傍に、より具体的には、整流器５０における球出口７４の近傍に、受容部材１００が設けられている。そのため、球出口７４の近傍において真直ぐに伸びようとする糸状体Ｉは、球出口７４の縁部に形成されたガイド部７５を伝ってスリット部７９に達し、図８に示すように、受容部材１００の糸状体導入部１０１から糸状体受容部１０２の間隙部に導かれる。
【００４６】
ここで、糸状体Ｉが糸状体受容部１０２の間隙部よりも太い場合、糸状体Ｉにより糸状体受容部１０２の間隙部が押し広げられて受容部材１００（糸状体受容部１０２）が弾性変形するので、受容部材１００は、受容部材１００の弾性力による遊技球の自重よりも強い力で、受容した糸状体Ｉを挟むことができる。そのため、糸状体Ｉが受容部材１００に引っ掛かった状態となり、遊技領域ＰＡに打ち出された糸付球を無理に引き上げることはできても、下方へ移動させることはできなくなる。また、糸状体Ｉが強く引っ張られた場合や、糸状体Ｉが糸状体受容部１０２の間隙部と同等の太さかこれよりも細い場合、糸状体受容部１０２の間隙部に導かれた糸状体Ｉは、受容部材１００と重なって設けられた切断部材１１０の刃部１１２まで達し、切断部材１１０が糸状体Ｉを切断することができる。このようにして、糸付球を用いた不正入賞行為を抑止することができる。
【００４７】
以上説明したように、第１実施形態によれば、（第２の）球供給通路５１の延伸方向が変わる方向転換部の近傍に、糸状体Ｉを受容して挟むことが可能な受容部材１００が設けられるため、簡便な構成の受容部材１００により、不正行為者に引っ張られる等して真直ぐに伸びようとする糸状体Ｉを、（第２の）球供給通路５１の延伸方向が変わる方向転換部において容易に捕捉することができる。そのため、簡便な構成で、糸状体Ｉおよび糸状体Ｉの付いた遊技球の自由な動きを拘束することが可能となり、糸状体Ｉの付いた遊技球を不正に操作して遊技球の入賞を検出させる不正入賞行為を効果的に抑止することができる。
【００４８】
また、（第２の）球供給通路５１の延伸方向が変わる方向転換部の近傍に、受容部材１００に受容された糸状体Ｉを切断可能な切断部材１１０が設けられることで、糸状体Ｉが強く引っ張られた場合や、糸状体Ｉが比較的細い場合に、受容部材１００に受容された糸状体Ｉを切断することが可能となり、糸状体Ｉの付いた遊技球を不正に操作して遊技球の入賞を検出させる不正入賞行為をより効果的に抑止することができる。
【００４９】
また、切断部材１１０が凹部７６に受容された状態で整流器５０に取り付けられ、受容部材１００が切断部材１１０とともに整流器５０に取り付けられ、整流器５０における凹部７６と（第２の）球供給通路５１とに繋がって、受容部材１００の糸状体導入部１０１および切断部材１１０の刃部１１２を露出させるスリット部７９が形成される。このようにすれば、糸状体Ｉを切断するのに必要な部分だけ露出させることが可能となり、受容部材１００および切断部材１１０が取り付けられた整流器５０を取り扱ったときに、切断部材１１０に触れて怪我をするのを防止することができる。
【００５０】
なお、上述の第１実施形態において、受容部材１００における糸状体受容部１０２の内側部分に、ヤスリ目を形成するようにしてもよい。このようにすれば、糸状体Ｉと糸状体受容部１０２との間の摩擦力が増えるので、受容部材１００から糸状体Ｉが抜けるのを防止することができる。また、受容部材１００における糸状体受容部１０２の内側部分に、受容部材１００の先端側に向けて返しの付いた突起部を形成するようにしてもよい。このようにしても、受容部材１００から糸状体Ｉが抜けるのを防止することができる。
【００５１】
また、上述の第１実施形態において、受容部材１００の糸状体受容部１０２が細長いＵ字形に形成されているが、これに限られるものではなく、例えば、糸状体受容部の間隙部が迷路状にもしくは渦巻き状に伸びるように糸状体受容部を形成してもよい。このようにすれば、糸状体受容部の間隙部の形状が複雑になるので、受容部材から糸状体Ｉが抜けるのを防止することができる。
【００５２】
また、上述の第１実施形態において、図１１に示すように、切断部材１１０を設けずに、受容部材１００だけを設けるようにしてもよい。なおこの場合、整流器５０における第２ケース部材７０の側壁部７１の外側に、凹部７６を形成する必要はないが、受容部材１００を整流器５０に取り付けるため、第１実施形態の場合と同様にして、突起部７７ａと、ネジ穴７７ｂと、受容部材固定部７８と、スリット部７９とを形成する。またこの場合、ニクロム線を用いて受容部材１００を形成し、ニクロム線を用いた受容部材１００に対して所定時間ごとに通電させるようにしてもよい。このようにすれば、ニクロム線を用いた受容部材１００が発熱するため、受容部材１００が挟んだ樹脂製の糸状体（釣糸等）を切断することが期待できる。
【００５３】
また、上述の第１実施形態において、受容部材１００が金属線材を用いて形成されているが、これに限られるものではなく、例えば、金属板材を用いて形成されてもよく、糸状体Ｉを受容して挟むことが可能な構成であればよい。
【００５４】
また、上述の第１実施形態において、第１の球供給通路２９ａが直線状に形成されているが、これに限られるものではなく、第１の球供給通路２９ａの途中がループ形状であってもよい。このようにすれば、第１の球供給通路２９ａに通された糸状体がループ形状の部分で巻き付くため、糸状体の付いた遊技球を不正に操作して遊技球の入賞を検出させる不正入賞行為をより効果的に抑止することができる。
【００５５】
また、上述の第１実施形態において、整流器５０における球出口７４の近傍に、受容部材１００および切断部材１１０が設けられているが、これに限られるものではなく、第１の球供給通路２９ａと第２の球供給通路５１との境界部で通路形状が屈曲する球入口６２の近傍に、受容部材および切断部材が設けられてもよい。
【００５６】
また、上述の第１実施形態において、整流器５０以外にも、不正入賞行為を防止するための不正防止具を設けることが可能である。そこで、第１実施形態に係るパチンコ機ＰＭの変形例について説明する。
【００５７】
第１の変形例では、遊技補助盤に設けられた遊技球発射装置及び遊技球回収機構を主体として、不正防止構造が構成されている。以下、図１２〜図１８の各図を追加参照しながら、第１の変形例に係る遊技球発射装置１５０及び遊技球回収機構２００について説明する。ここで、図１２は、第１の変形例に係る遊技球発射装置１５０及び遊技球回収機構２００が設けられた遊技補助盤２４０を示す正面図、図１３は遊技球発射装置１５０及び遊技球回収機構２００においてハンマーが発射待機位置にある状態の正面図、図１４は遊技球発射装置１５０及び遊技球回収機構２００においてハンマーが発射完了位置にある状態の正面図、図１５は図１３における矢印XV−XVに沿って示す要部断面図、図１６は図１４における矢印XVI−XVIに沿って示す要部断面図、図１７は図１３の状態において遊技球発射装置１５０及び遊技球回収機構２００を背面から見た図、図１８は図１４の状態において遊技球発射装置１５０及び遊技球回収機構２００を背面から見た図である。
【００５８】
遊技球発射装置１５０は、その構成を大別すると、遊技球の発射操作を行う発射ハンドル８、遊技球を発射する発射機構１７０、発射された遊技球を発射通路１２に案内する発射レール部１８０、及び発射機構１７０の作動を制御する払出制御装置４４などから構成される。
【００５９】
発射ハンドル８は、上述の第１実施形態における発射ハンドル８と同様の構成であるが、詳細には、パチンコ機ＰＭの機体から前方に突出するハンドルベース１６１（図４を参照）と、このハンドルベース１６１の前方に回動操作可能に設けられた回動レバー１６２（図１を参照）と、ハンドルベース１６１内に設けられ回動レバー１６２の回動操作量を検出するポテンショメータ等の角度検出器１６３（図６の二点鎖線を参照）と、遊技者が発射ハンドル８（回動レバー１６２）に接触しているか否かを検出するタッチ検出器１６４（図６の二点鎖線を参照）などを備えて構成されている。なお、角度検出器１６３及びタッチ検出器１６４の検出信号は払出制御装置４４に入力されており、払出制御装置４４はタッチ検出器１６４からの検出信号から遊技者が発射ハンドル８に触れているか否かを判定し、角度検出器１６３からの検出信号から回動レバー１６２の回動操作量を検知して、これらの検出信号に基づいて発射機構１７０の作動を制御する。
【００６０】
発射機構１７０は、遊技補助盤２０の前面側に設けられ発射機構１７０の取り付けベースとなる平板状のベースプレート１７１と、このベースプレート１７１の前面側に位置して遊技盤１０の盤面とほぼ平行な面内で揺動可能なように設けられたハンマー１７２と、このハンマー１７２を揺動作動させるロータリソレノイド１７３（図６の二点鎖線を参照）とを備えて構成される。
【００６１】
ベースプレート１７１は、例えば薄板状の鋼板を切断及び孔あけ加工し所要の表面処理を施して形成される。ロータリソレノイド１７３は、複数のビス１７４を用いてビス止めされることでベースプレート１７１の背面側に取り付けられ、本体部分がベースプレート１７１の背面側に突出している。ロータリソレノイド１７３の駆動軸１７３ａは、ベースプレート１７１に形成された駆動軸挿通孔（図示せず）を通過してベースプレート１７１の前面側に達するように構成されており、この駆動軸１７３ａをハンマー１７２の取り付け孔（図示せず）に挿通させて、駆動軸１７３ａ先端のネジ部を固定ナット１７５で螺着させることで、この駆動軸１７３ａにハンマー１７２が一体的に連結されるようになっている。このようにして、ハンマー１７２はベースプレート１７１の前面側に取り付けられ、払出制御装置４４からの指令に基づいてロータリソレノイド１７３が作動することにより、ベースプレート１７１の前面側で駆動軸１７３ａを中心として上下に揺動するようになっている。
【００６２】
ハンマー１７２は、「く」字状に屈曲して細長く延びるハンマーアーム部１７２ａと、その上方に舌片状に突出する緩衝アーム部１７２ｂと、両アーム部が交わる位置に形成されロータリソレノイド１７３の駆動軸１７３ａに固定される本体部１７２ｃとを備えて構成されており、ハンマーアーム部１７２ａの先端には遊技球を叩打する樹脂製のハンマーヘッド１７２ｄが嵌着されている。
【００６３】
また、ベースプレート１７１の前面には、ハンマーヘッド１７２ｄの打撃位置から下方に退避させた揺動位置でハンマーアーム部１７２ａを弾性的に受け止める下部ストッパ１７６や、打撃位置をわずかに超えた揺動位置で緩衝アーム部１７２ｂを弾性的に受け止める上部ストッパ１７７などが取り付けられている。そのため、ハンマー１７２は、ロータリソレノイド１７３の駆動軸１７３ａを中心として、ハンマーアーム部１７２ａが下部ストッパ１７６に当接して揺動規制された下方限界位置（これを「発射待機位置」と称する）と、緩衝アーム部１７２ｂが上部ストッパ１７７に当接して揺動規制された上方限界位置（これを「発射完了位置」と称する）との間で揺動変位可能である。
【００６４】
発射レール部１８０は、ベースプレート１７１の前面側に設けられて整流器５０から供給された遊技球Ｂ（図１２及び図１３等を参照）をハンマーヘッド１７２ｄの打撃位置に合わせて一時保持するガイドホルダ１８１と、このガイドホルダ１８１から斜め上方に延びる平断面視凹状の発射レール１８２とを備えて構成される。
【００６５】
発射レール１８２は、左斜め上方に延びる中央通路壁１８３と、この中央壁を挟んで左側及び右側に遊技球の直径よりも幾分大き目の間隔をおいて略平行に立設された左側通路壁１８４及び右側通路壁１８５とを有し、これらの通路壁１８３，１８４，１８５に囲まれてハンマー１７２により打ち出された遊技球が通過可能な球通路１８６が画形されている。この発射レール１８２は、ガイドホルダ１８１の上端位置から飛送レール１２ａと内レール１２ｂとの間の発射通路１２に向けて（すなわち飛送レール１２ａの下端近傍のレール面よりも上方に向けて）左斜め上方に延びて設けられる。発射レール１８２の上端の発射口１８２ａは、収容枠の支持面よりも上方に延びて遊技盤１０前面のアウト口１９のほぼ左側方にあたる高さ位置で開口している。
【００６６】
また、発射レール１８２における発射口１８２ａの左側には、上方に開口するファール球回収口１９１が形成されたファール球回収樋１９０が設けられており、遊技領域ＰＡに到達できずに発射通路１２を戻ってくる遊技球（すなわちファール球）がファール球回収口１９１に落入するようになっている。このファール球回収樋１９０の内部に形成されたファール球回収通路１９２は、下球皿６ｂに繋がる溢れ球通路２４３と連通しており、ファール球回収口１９１に落入したファール球はファール球回収通路１９２を流下して溢れ球通路２４３に導かれ、下球皿連絡ダクト２８を経て下球皿６ｂに至るようになっている。
【００６７】
一方、遊技球回収機構２００は、ベースプレート１７１の背面側に設けられ発射機構１７０のハンマー１７２と連結されるアーム部材２１０と、このアーム部材２１０を介してハンマー１７２の揺動が伝達されることで発射レール１８２の球通路１８６を開閉する開閉弁部材２２０と、発射レール１８２の左側通路壁１８４に隣接して設けられ発射レール１８２の球通路１８６と連通する遊技球回収樋２３０とを主体に構成される。
【００６８】
アーム部材２１０は、細長い棒状のアーム本体２１１と、このアーム本体２１１の下端部から屈曲して略水平に延びる基端部２１２と、アーム本体２１１の上端部に形成された略円弧状のロッド支持部２１３とを備えて構成されており、ハンマー１７２と開閉弁部材２２０との間を連繋して揺動可能に設けられ、ハンマー１７２の揺動による押圧力を開閉弁部材２２０に伝達するようになっている。なお、上記ベースプレート１７１には緩衝アーム部１７２ｂの揺動軌跡及び揺動角度範囲に合わせた円弧状のガイド溝１７１ａが形成され、緩衝アーム１７２ｂから後方に突設される円筒状のガイドピン２１９がこのガイド溝１７１ａ内に係合されてベースプレート１７１の背面側に達するように構成されており、このガイドピン２１９をアーム部材２１０の基端部２１２から下方に向けて平行に突設された左右一対の突出部２１４，２１４の間隙に圧入固定することで、ハンマー１７２とアーム部材２１０とがベースプレート１７１を間に挟んで連結されている。このようにアーム部材２１０はハンマー１７２に連結されることで、ハンマー１７２と一体となって上下に揺動するようになっている。
【００６９】
開閉弁部材２２０は、発射レール１８２の左側通路壁１８４が一部切り欠かれて左右方向に開口形成された連絡口１８７内において遊技球回収樋２３０側（左側方）に偏倚して設けられている。この開閉弁部材２２０は、遊技補助盤２４０の孔部２４１に挿入される円筒状の支軸部２２１と、この支軸部２２１の前端側に設けられ径方向外方へ延びる帯板状の弁体２２２と、支軸部２２１の後端側に設けられ径方向外方へ延びる正面視において舌片状の揺動片２２３とを備えて構成され、前後に貫通するピン挿通孔２２８に枢結ピン２２９が挿入されることにより、遊技補助盤２４０の背面側に設けられた台板２４９に垂直面内で揺動自在に枢支されている。
【００７０】
弁体２２２は、発射レール１８２における球通路１８６の開口面域に合わせた矩形平板状に形成されている。揺動片２２３には後方に突出する軸状のロッド２２４が設けられており、このロッド２２４に対応してアーム部材２１０のロッド支持部２１３の上面側には、このロッド２２４の揺動範囲よりも幾分広い範囲に亘って上方に開く略円弧状の湾曲支持面２１３ａが形成されている。開閉弁部材２２０には、弁体２２２及び揺動片２２３などの自重によって枢結ピン２２９を中心として正面視において反時計回りのモーメントが作用しており、開閉弁部材２２０はこのモーメントによって反時計回り方向への付勢力を受けることで、この開閉弁部材２２０における揺動片２２３のロッド２２３ａがロッド支持部２１３の湾曲支持面２１３ａに常時当接することとなる。そのため、ハンマー１７２の揺動作動によってアーム部材２１０が上下に揺動したときに、このアーム部材２１０の揺動に応じてロッド２２４がロッド支持部２１３の湾曲支持面２１３ａに押動されながらこの湾曲支持面２１３ａに沿って移動し、この動きに連動して開閉弁部材２２０が枢結ピン２２９を中心として時計回りもしくは反時計回り方向に揺動するようになっている。
【００７１】
従って、開閉弁部材２２０は、ハンマー１７２が発射待機位置から発射完了位置へ向かって上方に揺動した場合には、このハンマー１７２に連結されたアーム部材２１０のロッド支持部２１２によってロッド２２４が上方に押動され、このロッド２２４に一体に繋がる弁体２２２が正面視において反時計回り方向に揺動するようになっており、ハンマー１７２が発射完了位置に達したときに弁体２２２が略鉛直方向に延びた姿勢となり発射レール１８２の球通路１８６を開放する。一方、ハンマー１７２が発射完了位置から発射待機位置へ向かって下方に揺動した場合には、このハンマー１７２に連結されたアーム部材２１０が下方に揺動するとともに、開閉弁部材２２０は自重により生じるモーメントによって正面視において時計回り方向に揺動するようになっており、ハンマー１７２が発射待機位置に達したときに弁体２２２が発射レール１８２と略直交する方向に延びた姿勢となり発射レール１８２の球通路１８６を閉止する。
【００７２】
すなわち、開閉弁部材２２０は、弁体２２２が発射レール１８２の球通路１８６内に挿入されて遊技球の通過を阻止する位置（これを「閉止位置」と称する）と、弁体２２２が発射レール１８２の球通路１８６外に退避されて遊技球の通過を許容する位置（これを「開放位置」と称する）との間で上下に揺動変位することが可能である。なお、発射レール１８２の右側通路壁１８５には通路内方に向けて突出する突起１８８が形成されており、開閉弁部材２２０が時計回りに揺動して閉止位置に達したときに、弁体２２２の先端部下面が突起１８８の上面に当接（もしくは近接）するようになっている。ここで、球通路１８６の閉止（閉鎖）とは、遊技球の通過を阻止し得るとともに、糸状体（異物）の通過をも阻止する程度の閉止状態であることが好ましく、上述したように、弁体２２２を球通路１８６の開口面域に合わせた外形形状とすることで、球通路１８６に糸付球に繋がる糸状体が進入してきたときに、弁体２２２の揺動変位によって球通路１８６をほぼ完全に閉止（少なくとも弁体２２２の外周部と球通路１８６の内壁との間にほとんど隙間が生じないように）することで、この弁体２２２に糸状体を引掛けることができるとともに、弁体２２２と球通路１８６の内壁との間に糸状体を挟み込むことができる。また、弁体２２２と球通路１８６との間に僅かな隙間が生じる場合でも、球通路１８６の内壁に突起１８８を形成しておくことにより、弁体２２２と突起１８８とを当接させることで当該隙間を閉鎖して、弁体２２２と突起１８８との間でも糸状体を挟み込むことが可能である。
【００７３】
遊技球回収樋２３０は、左側通路壁１８４の連絡口１８７を介して発射レール１８２の球通路１８６に連通しており、上方に開口する遊技球回収口２３１が形成されるとともに、その下側に連絡口１８７から入球して遊技球回収口２３１に落入した遊技球を流下させる遊技球回収通路２３２が形成されている。遊技球回収通路２３２は、ファール球回収通路１９２及び溢れ球通路２４２と遊技補助盤２４０の背面側で合流し、下球皿連絡ダクト２８を介して下球皿６ｂに繋がっている。なお、この遊技球回収通路２３２とファール球回収通路１９２とを直接繋いだり、遊技球回収樋２３０とファール球回収樋１９０とを一体的に形成して構成してもよい。
【００７４】
次に、このように構成される遊技球発射装置１５０及び遊技球回収機構２００（不正防止構造）の作用について主として図１９及び図２０を参照しながら説明する。ここで、図１９はファール球の流れを主として示す遊技球発射装置１５０及び遊技球回収機構２００の正面図であり、図２０は糸付球の流れを主として示す遊技球発射装置１５０及び遊技球回収機構２００の正面図である。
【００７５】
まず、遊技者が発射ハンドル８を操作していない非操作時においては、タッチ検出器１６４の出力信号は遊技者の接触が検出されていない非接触状態であり、払出制御装置４４は遊技者が遊技を行っていない待機状態であると判断し発射機構１７０の作動をオフする。つまり、払出制御装置４４からの指令によって発射機構１７０のロータリソレノイド１７３は励磁されていないため、ハンマー１７２は発射待機位置で停止している。このとき、開閉弁部材２２０は発射レール１８２の球通路１８６を閉止している。
【００７６】
一方、遊技者が発射ハンドル８を把持し回動操作すると、タッチ検出器１６４の出力信号は遊技者の接触が検出された接触状態となり、上球皿６ａに貯留された遊技球が整流器５０により１球ずつガイドホルダ１８１の打撃位置に留置されるとともに、この整流器５０と同期制御されるロータリソレノイド１７３が励磁されて上方へ揺動作動され、発射ハンドル８の回動操作量（角度検出器１６３の検出値）に応じた発射強度で遊技球が遊技領域ＰＡに向けて打ち出される。このときハンマー１７２が上方に揺動作動した際に、これに連結されるアーム部材２１０もハンマー１７２と一体となって上方に揺動し、開閉弁部材２２０が正面視において反時計回り方向（発射レール１８２の球通路１８６を開放させる方向）に揺動される。そして、ハンマー１７２が発射完了位置に達したときに、開閉弁部材２２０が発射レール１８２の球通路１８６を開放した開放位置に位置することとなるため、ハンマー１７２によって打ち出された遊技球は開閉弁部材２２０の弁体２２２に衝突することもなく発射レール１８２の球通路１８６を通過することができる。このようにハンマー１７２により遊技球が発射された後は、払出制御装置４４からの指令によってロータリソレノイド１７３が非励磁となり、ハンマー１７２が自重により下方に揺動して発射待機位置に復帰する。よって、開閉弁部材２２０が自重により生じるモーメントによって正面視において時計回り方向に揺動して閉止位置に到達し、開閉弁部材２２０の弁体２２２によって発射レール１８２の球通路１８６は閉止される。
【００７７】
ここで、発射ハンドル８の回動操作量に応じて打ち出される遊技球の発射強度が弱い場合には、遊技領域ＰＡに到達できずに発射通路１２を戻ってくるファール球が生じ得るが、このように落下してくるファール球の大多数はファール球回収口１９１に落入し、ファール球回収樋１９０のファール球回収通路１９２、溢れ球通路２４３、及び下球皿連絡ダクト２８などを経て下球皿６ｂに排出される。
【００７８】
その一方で、図１９に示すように、ファール球ＢＦの落下ルートが右方にずれて発射レール１８２に戻ってくることもある。このとき、発射レール１８２の球通路１８６は開閉弁部材２２０の弁体２２２によって塞がれているため、発射レール１８２に戻ってきたファール球ＢＦは弁体２２２に接触して球通路１８６内での落下が制止される。そして、ガイドホルダ１８１に留置された後続の遊技球Ｂがハンマー１７２の揺動作動によって発射されたときに、このハンマー１７２に連結されたアーム部材２１０を介して開閉弁部材２２０が正面視において反時計回り方向に揺動し、この開閉弁部材２２０の弁体２２２によってファール球ＢＦが左側通路壁１８４の連絡口１８７から遊技球回収樋２３０へ弾き出され、遊技球回収通路２３２、溢れ球通路２４３、及び下球皿連絡ダクト２８を経て下球皿６ｂに排出される。また、ハンマー１７２によって打ち出された後続の遊技球Ｂは、弁体２２２に妨げられることなく（更にはファール球ＢＦに衝突することもなく）発射レール１８２の球通路１８６を通過し、飛送レール１２ａに沿って遊技領域ＰＡへ向かう。そのため、発射レール１８２を落下して戻ってくるファール球ＢＦがあった場合でも、この発射レール１８２における球通路１８６内での遊技球同士の衝突を防止することができる。
【００７９】
なお、開閉弁部材２２０が閉止位置にある状態では、この開閉弁部材２２０のロッド２２４がアーム部材２１０のロッド支持部２１３に当接して、時計回り方向への揺動が規制されているものの、時計回り方向（すなわち発射レール１８２の球通路１８６を開放する方向）へは自由に揺動可能な状態であるため、ハンマー１７２によって遊技球が打ち出されたときに、万が一、開閉弁部材２２０の動作不良などによって球通路１８６が弁体２２２によって閉鎖された状態になっていたとしても、発射された遊技球の球圧によって弁体２２２は上方に開放され、発射レール１８２での遊技球の飛翔を妨げるおそれがない。
【００８０】
また、ハンマー１７２が発射待機位置に保持された状態では、発射レール１８２の球通路１８６は開閉弁部材２２０の弁体２２２によって閉鎖されているため、遊技盤１０の盤面や発射通路１２から落下するゴミ等の異物（遊技球に付着していた異物）はこの弁体２２２によって阻止され、開閉弁部材２２０の揺動運動に伴って遊技球回収樋２３０に排出されるようになっている。そのため、発射レール１８２の下方に位置する発射機構１７０に異物が多量に滞留するおそれもなく、発射機構１７０の機構部品が異物を噛み込んでその作動不良により遊技球の発射不良を誘発するのを防止できるとともに、異物を除去等するための清掃・点検時間が大幅に低減されてメンテナンス性を向上させることが可能になる。
【００８１】
続いて、糸付球ＢＩ（糸状体Ｉ付きの遊技球）が発射機構１７０によって発射されたときの作用について主に図２０を参照して説明する。既述したように不正行為者によって上球皿６ａ内に投入された糸付球ＢＩは、整流器５０によってガイドホルダ１８１における打撃位置に供給される。このようにガイドホルダ１８１の打撃位置に糸付球ＢＩが留置された状態では、糸付球ＢＩから延びる糸状体Ｉは、この糸付球ＢＩの通過経路（上球皿６ａ〜整流器５０〜ガイドホルダ１８１）に沿ってパチンコ機ＰＭ内部に引き回された状態となっており、その一方の端部（糸付球ＢＩの接着部とは反対の端部）は不正行為者の手元まで延びている。
【００８２】
この状態において発射ハンドル８が回動操作されると、ガイドホルダ１８１に留置された糸付球ＢＩは発射ハンドル８の回動操作量に応じた発射強度で打ち出される。このときハンマー１７２が発射待機位置から発射完了位置に揺動作動した際に、これに連結されるアーム部材２１０もハンマー１７２と一体となって上方に揺動し、アーム部材２１０に押動されて開閉弁部材２２０が正面視において反時計回り方向（発射レール１８２の球通路１８６を開放する方向）に揺動されて、弁体２２２が発射レール１８２の球通路１８６を開放した開放位置に達する。これによりハンマー１７２によって打ち出された糸付球ＢＩは弁体２２２に妨げられずに発射レール１８２の球通路１８６を通過することになるが、この糸付球ＢＩに繋がる糸状体Ｉも発射レール１８２に沿って球通路１８６内に進入していく。
【００８３】
このように糸付球ＢＩが発射され、払出制御装置４４からの指令によってロータリソレノイド１７３が非励磁となると、ハンマー１７２が自重により下方に揺動して発射待機位置に復帰し、これにより開閉弁部材２２０が自重により生じるモーメントによって正面視において時計回り方向に揺動して球通路１８６の閉止位置に達する。こうして開閉弁部材２２０が揺動したときに、糸付球ＢＩから発射レール１８２の球通路１８６内に沿って延びる糸状体Ｉが開閉弁部材２２０の弁体２２２によって引掛けられ、開閉弁部材２２０が閉止位置に達したときに弁体２２２と突起１８８との間に挟み込まれて繋留された状態となる。これにより糸付球ＢＩの飛翔が制止されてその運動エネルギーが減殺され、糸付球ＢＩは遊技領域ＰＡに到達することができずに発射レール１８２へ落下して戻ってくることになる。このようにして発射レール１８２に戻ってきた糸付球ＢＩは、前述したファール球ＢＦの回収と同様にして、後続の遊技球Ｂがハンマー１７２によって発射されるときに、このハンマー１７２に連結されるアーム部材２１０を介して開閉弁部材２２０が反時計回り方向に揺動されることで、開閉弁部材２２０の弁体２２２によって連絡口１８７側へ押し出され、この連絡口１８７を介して発射レール１８２の球通路１８６から遊技球回収樋２３０へ速やかに排出される。
【００８４】
従って、このように糸付球の遊技領域ＰＡへの飛翔を開閉弁部材によって妨げることで、糸付球がターゲットである入賞球検出器まで到達できなくなるため、糸付球ＢＩを操作して入賞球検出器に入賞を繰り返し検出させる不正入賞行為を抑止することが可能である。
【００８５】
一方、これに対して発射レール１８２の球通路１８６内で糸状体Ｉが弁体２２２と突起１８８との間で挟み込まれ繋留された状態において、これに繋がる糸付球ＢＩが糸状体Ｉの機械的強度（あるいは糸付球ＢＩと糸状体Ｉとの接着強度）を超える運動エネルギー（発射強度）で飛翔していたときには、この糸付球ＢＩから糸状体Ｉが分断されるため、たとえこの分断された糸付球ＢＩ（糸状体Ｉから分離した遊技球の部分）が遊技領域ＰＡに到達したとしても、糸状体Ｉを用いて不正な操作を行うことはもはやできない。よって、このように糸付球ＢＩの操作が不能になるため、この場合にも入賞球検出器に入賞を繰り返し検出させる不正入賞行為を抑止することが可能である。なお、ここで糸付球ＢＩから糸状体Ｉをより確実に分断するために、例えば弁体２２２の先端部に切断部（カッタ刃など）を備えて、糸状体Ｉを弁体２２２の切断部に引掛けたときや、弁体２２２の切断部と突起１８８とによって糸状体Ｉを挟み込んだときに、この糸状体Ｉをこの切断部に喰い込ませて切断する構成としてもよい。
【００８６】
以上、第１の変形例では、開閉弁部材２２０が発射機構１７０の作動に連動して遊技球の通過を許容する開放位置と遊技球の通過を阻止する閉止位置との間で揺動変位して発射レール１８２の球通路１８６を開閉することで、球通路１８６を閉止したときに当該球通路１８６内での遊技球の通過と共に異物の通過をも阻止し、発射機構１７０により発射された遊技球のうちで遊技領域ＰＡに到達せずに発射レール１８２を戻ってきた遊技球を、発射機構１７０の作動に連動して閉止位置から開放位置に揺動するときに発射レール１８２の途中で連絡口１８７を介して遊技球回収樋２３０に導くように構成されている。そのため、釣糸等の糸状体Ｉが取り付けられた糸付球ＢＩが発射機構１７０によって打ち出された場合、開閉弁部材２２０が発射機構１７０に連動して発射レール１８２の球通路１８６を閉止したときに発射レール１８２内を球通路１８６に沿って進入する糸状体Ｉ（異物）を引掛けて若しくは球通路１８６の内壁との間に挟み込んで当該遊技球の飛翔を制止できるため、当該遊技球を遊技領域ＰＡまで到達できないようにしている。従って、糸状体Ｉの付いた遊技球を不正に操作して入賞球検出器に連続的な入賞を検出させる不正入賞行為を効果的に抑止して損害の発生を未然に防止することが可能である。
【００８７】
また、発射機構１７０により打ち出された遊技球のうちで遊技領域ＰＡ内に到達せずに発射レール１８２を戻ってくるファール球が生じた場合、開閉弁部材２２０が発射レール１８２の球通路１８６を閉止したときにファール球が発射機構１７０側に戻るのが防止されるとともに、開閉弁部材２２０が発射レール１８２の球通路１８６を開放するときにファール球が発射レール１８２の途中で開閉弁部材２２０の揺動によって連絡口１８７を通って遊技球回収樋２３０に速やかに導かれる。そのため、発射レール１８２の球通路１８６上でファール球と後続の遊技球とが衝突するのを防止できるとともに、発射レール１８２の球通路１８６の下端までファール球が戻ってくることが極めて少ないため、いわゆる垂直発射と称されるような発射機構を用いて、遊技球を発射通路内に直接発射する構成を問題なく採用することが可能である。
【００８８】
さらに、発射レール１８２の途中で開閉弁部材２２０によって球通路１８６が閉鎖されることで、遊技盤１０の盤面や発射通路１２から落下するゴミ等の異物はこの開閉弁部材２２０によって当該球通路１８６内での通過が阻止されて、開閉弁部材２２０の揺動運動に伴って遊技球回収樋２３０に排出されるようになっている。そのため、発射レール１８２の下方に位置する発射機構１７０に異物が多量に滞留するおそれもなく、発射機構１７０の機構部品が異物を噛み込んでその作動不良により遊技球の発射不良が発生するのを防止できるとともに、異物を除去等するための清掃・点検時間が大幅に低減されてメンテナンス性を向上させることが可能になる。
【００８９】
従って、第１の変形例によれば、釣糸等の糸状体を付けた遊技球を不正に操作して遊技球の入賞を検出させる不正入賞行為を効果的に抑止することができるとともに、遊技盤に到達できずに戻ってくるファール球を速やかに且つ確実に発射レールの球通路から退避させることができ、更には発射レールの下方に位置する発射機構１７０に盤面などからのゴミが落下するのを低減させることが可能である。そして、第１実施形態に係るパチンコ機ＰＭに第１の変形例の構成を組み込むことにより、釣糸等の糸状体を付けた遊技球を不正に操作して遊技球の入賞を検出させる不正入賞行為をより効果的に抑止することができる。
【００９０】
また、上述の変形例において、開閉弁部材２２０が閉止位置に揺動変位して発射レール１８２の球通路１８６を閉止したときに、開閉弁部材２２０と球通路１８６の内方へ向かって突出する突起１８８とが近接するように構成されることで、釣糸等の糸状体の取り付けられた遊技球が発射機構１７０によって打ち出された場合、発射レール１８２内で球通路１８６に沿って進入する糸状体を開閉弁部材２２０と突起１８８との間で挟み込んで当該遊技球の飛翔を確実に制止することができるため、不正入賞行為をより厳重に防止することが可能である。
【００９１】
さらに、ハンマー１７２がロータリソレノイド１７３によって発射待機位置と発射完了位置（打撃位置）との間で揺動変位するときに、開閉弁部材２２０がアーム部材２１０を介してハンマー１７２に連動して閉止位置と開放位置との間で揺動変位する構成とすることで、ロータリ−ソレノイド１７３以外の他の駆動源を用いずに開閉弁部材２２０をハンマー１７２に連動させて閉止位置と開放位置との間で揺動変位させることができるため、機構構成を簡明化するとともに小型化及び低廉化することが可能である。さらに、互いに連動作動するハンマー１７２の発射待機位置及び発射完了位置（打撃位置）と開閉弁部材２２０の閉止位置及び開放位置とを対応付けることで、ハンマー１７２によって打撃位置で発射された遊技球を開閉弁部材２２０によって開放された発射レール１８２の球通路１８６を確実に通過させることができるとともに、当該発射後にハンマー１７２が発射待機位置に復帰した際に発射レール１８２を戻ってくる遊技球（例えばファール球）があった場合でも閉止位置にある開閉弁部材２２０によって球通路１８６を閉鎖して、この遊技球が発射レール１８２下端の発射機構１７０まで到達して後続の遊技球に衝突するのを防止できる。
【００９２】
また、開閉弁部材２２０の弁体２２２が発射レール１８２の球通路１８６内において閉止位置に位置したときに、弁体２２２が遊技球回収機構２３０側（左側）に向かって下方に傾斜する姿勢で保持されるため（図１３等を参照）、遊技領域ＰＡに到達できずに発射レール１８２に戻ってきた遊技球は弁体２２２の傾斜に沿って連絡口１８７へ誘導され易くなるため、当該遊技球を発射レール１８２の球通路１８６から確実に遊技球回収樋２３０に排出することができる。
【００９３】
ところで、上述の変形例においては、糸付球を用いた不正入賞行為を防止するとともに、ファール球を速やかに回収できるという効果を達成しているが、このような効果をより確実にするため、上述の構成に加えて、例えば図２１に示すように、遊技盤１０上における発射通路１２の途中（出口開口１２ｃの手前）に、発射通路１２に滑らかに繋がるループ状通路３００を設けて構成してもよい。このループ状通路３００は、発射通路１２側に開いた略円弧状に延びるレール面を有しており、その中心には前後方向に延びる円筒状の軸部材３０１が化粧板１１の前面側に植設され、この軸部材３０１の下方（ループ状通路３００の最も低いところ）には遊技球が通過可能な大きさのファール球回収孔３０２が化粧板１１を表裏貫通して穿設されている。
【００９４】
このような構成において、発射機構１７０によって打ち出された遊技球は、発射レール１８２及び発射通路１２等を通って、この発射通路１２の途中に介装されたループ状通路３００を、遠心力の作用によりレール面に沿って時計回りに円を描くように通過した後、再び発射通路１２に戻って出口開口１２ｃから遊技領域ＰＡに放出されることになる。これに対して発射強度の弱い遊技球（ファール球となるべく遊技球）は、ループ状通路３００を通過しきれずループ状通路３００内で減衰し、このループ状通路３００内に設けられたファール球回収孔３０２に落入することになる。そして、このファール球回収孔３０２と溢れ球通路２４３とを遊技盤１０の背面側で連通させておけば、このファール球を下球皿連絡ダクト２８を介して下球皿６ｂに導くことができる。一方、糸付球が発射機構１７０によって打ち出された場合、この糸付球がループ状通路３００に沿って弧状のレール面を通過する際に、この糸付球に繋がる糸状体がループ状通路３００中心の軸部材３０１に巻き付けられるため、これにより糸付球の移動が制止されて糸付球の操作が不能になる。従って、遊技盤１０の遊技領域ＰＡを狭めることなく、糸付球を用いた不正入賞行為及びファール球の回収をより確実に行うことが可能になる。なお、軸部材３０１の形態としてはロッド状に限定されず、コイルバネ状に形成して糸状体を巻き付き易くさせてもよい。
【００９５】
また、上述の変形例において、発射機構１７０のハンマー１７２と遊技球回収機構２００の開閉弁部材２２０とを連繋するアーム部材２１０を両者（ハンマー１７２及び開閉弁部材２２０）にリンク結合させる構成でもよく、これによりハンマー１７２の揺動作動に対する開閉弁部材の開閉作動の応答性を向上させることができる。
【００９６】
また、上述の変形例において、発射機構１７０におけるハンマー作動手段としてロータリソレノイド１７３が適用されているが、これに限定されるものではなく、パルスモータやサーボモータ、ＡＣモータ、ＤＣモータ等の電動アクチュエータを利用するものであってもよい。
【００９７】
また、上述の変形例において、遊技球回収樋２３０と溢れ球通路２４３とを繋いで、開閉弁部材２２０によって球通路１８６から連絡口１８７を通って遊技球回収樋２３０へ送り出された遊技球を、下球皿連絡ダクト２８を介して下球皿６ｂに排出するように構成しているが、これに限定されるものではなく、遊技球回収樋２３０と賞球連絡通路２４２とを繋いで、遊技球回収樋２３０に落入した遊技球を、賞球連絡通路２４２及び上球皿連絡ダクト２７を介して上球皿６ａに排出させるように構成してもよい。
【００９８】
次に、第１実施形態に係るパチンコ機ＰＭの第２〜第４の変形例について説明する。第２〜第４の変形例では、遊技盤に設けられた球戻り防止装置を主体として、不正防止構造が構成されている。以下、図２２〜図２５の各図を追加参照しながら、第２の変形例に係る球戻り抑止部材３５１について説明する。
【００９９】
この球戻り抑止部材３５１は、開放端３５１０側に可動片３５１１を備え、内レール１２ｂの先端部に取付けられた球戻り防止装置３５０（図２４を参照）内に可動的に保持されている。球戻り抑止部材３５１は、遊技球発射領域ＲＡから遊技領域ＰＡへ向けて発射される遊技球を遊技球発射領域ＲＡから遊技領域ＰＡへ進入させるとともに、遊技領域ＰＡに進入した遊技球が遊技盤面に配置された遊技釘等に衝突して、再び遊技球発射領域ＲＡに逆行することを防止する機能を有する部材である。
【０１００】
遊技球発射領域ＲＡとは、内レール１２ｂと飛送レール（外レール）１２ａにより画定される領域であって、発射機構２１から発射される遊技球が流下遊技を実現する遊技領域ＰＡへ達するまでの遊技球の通路となる領域である。
【０１０１】
遊技領域ＰＡに発射された遊技球が遊技球発射領域ＲＡに逆行してしまうと、発射機構２１から順次発射される後続の遊技球と遊技球発射領域ＲＡ内で衝突して、遊技球発射領域ＲＡ内で球詰まりが発生する。球戻り抑止部材３５１は、遊技球発射領域ＲＡ内での遊技球同士による球詰まりの不具合を防止するために、遊技球発射領域ＲＡと遊技領域ＰＡとを画定する位置に配置されている。
【０１０２】
図２２及び図２３は、第２の変形例に係る球戻り抑止部材３５１の構成を示す図であり、図２２（ａ）は球戻り抑止部材３５１の上面図、図２２（ｂ）は球戻り抑止部材３５１の正面図である。図２３は、球戻り抑止部材３５１の分解斜視図である。図示したように、第２の変形例に係る球戻り抑止部材３５１は、硬質プラスチック樹脂を成型加工して形成した球戻り抑止部材３５１ａと、同じく硬質プラスチック樹脂を成型加工して形成した球戻り抑止部材３５１ｂと、ステンレス鋼等の丸棒を切削加工して形成したシャフト３５７と、比重の高い金属を成型加工して形成した錘３５８と、から構成されている。
【０１０３】
球戻り抑止部材３５１ａは、板状の可動片３５１１ａと、この可動片３５１１ａの下部に形成されたシャフト３５７を支持するためのシャフト支持部３５１４ａと、錘３５８を支持するための錘支持部３５１６ａと、を備えている。可動片３５１１ａの上部には、左上の開放端３５１０ａから右下に向かう斜辺３５１２ａが形成されている。シャフト支持部３５１４ａには、シャフト３５７が圧入されるシャフト圧入孔３５１５ａが貫通形成されている。錘支持部３５１６ａには、錘３５８が圧入される錘圧入孔３５１７ａが貫通形成されている。
【０１０４】
球戻り抑止部材３５１ｂは、板状の可動片３５１１ｂと、この可動片３５１１ｂの下部に形成されたシャフト３５７を支持するためのシャフト支持部３５１４ｂと、錘３５８を支持するための錘支持部３５１６ｂと、を備えている。更に、可動片３５１１ｂの上部に右上の開放端３５１０ｂから左下に向けて形成された斜辺３５１２ｂの端部から略垂直に立設された立設片３５１８が形成されており、立設片３５１８の端部から可動片３５１１ｂと反対側に立設片３５１８から略垂直に立設された立設片３５１９が形成されている。つまり、立設片３５１９は、可動片３５１１ａ及び３５１１ｂと、可動片３５１１ａ及び３５１１ｂの厚み方向に対して平行に設けられている。
【０１０５】
立設片３５１９の上部には、右上から左下に向かう斜辺３５１９ａが形成されている。シャフト支持部３５１４ｂには、シャフト３５７が圧入されるシャフト圧入孔３５１５ｂが貫通形成されている。錘支持部３５１６ｂには、錘３５８が圧入される錘圧入孔３５１７ｂが貫通形成されている。
【０１０６】
第２の変形例に係る球戻り抑止部材３５１は、球戻り抑止部材３５１ａの端面３５１ａ１と球戻り抑止部材３５１ｂの端面３５１ｂ１が当接され、球戻り抑止部材３５１ａに貫通形成されたシャフト圧入孔３５１５ａと球戻り抑止部材３５１ｂに貫通形成されたシャフト圧入孔３５１５ｂにシャフト３５７が共軸的に圧入され、かつ、球戻り抑止部材３５１ａに貫通形成された錘圧入孔３５１７ａと球戻り抑止部材３５１ｂに貫通形成された錘圧入孔３５１７ｂに錘３５８が共軸的に圧入されて構成される。錘３５８は、取付部となるシャフト３５７に対して球戻り抑止部材３５１ａと球戻り抑止部材３５１ｂとを一体的に回動可能に固定する固定部材である。
【０１０７】
そして上記のように構成された球戻り抑止部材３５１は、球戻り抑止部材３５１ａの斜辺３５１２ａと球戻り抑止部材３５１ｂの斜辺３５１２ｂにより谷部３５３が形成される。谷部３５３は、後に詳述する糸付球ＢＩを吊り下げ保持する糸状体（吊り糸）Ｉ（図２５参照）を谷部３５３の底部３５３ａに導く機能を有する部位である。よって、第２の変形例に係る球戻り抑止部材３５１として、球戻り抑止部材３５１ａの直線状の斜辺３５１２ａと球戻り抑止部材３５１ｂの直線状の斜辺３５１２ｂにより谷部３５３を形成する構成を例示したが、斜辺３５１２ａ及び斜辺３５１２ｂは必ずしも直線状である必要はなく、可動片３５１１の開放端３５１０から下方に向けて可動片３５１１ａと可動片３５１１ｂの間の間隙が漸次狭くなるように谷部３５３が形成されて、糸付球ＢＩを吊下した糸状体Ｉが吊下した糸付球ＢＩの自重により谷部３５３の底部３５３ａに導かれる形状であれば良い。また、谷部３５３の底部３５３ａも、図示したように可動片３５１１の略中央部に設定する必要はなく、後述する規制部３５５との連係が良好な位置に任意に設定することができる。このように間隙（谷部３５３）を構成することにより、糸状体Ｉの前後方向の可動領域を狭めることができる。
【０１０８】
図２２に示されるように、第２の変形例に係る球戻り抑止部材３５１は、球戻り抑止部材３５１ａの可動片３５１１ａが球戻り抑止部材３５１ｂの可動片３５１１ｂと対向する対向端面３５１３ａと、この対向端面３５１３ａと対向する可動片３５１１ｂの対向端面３５１３ｂとの間に幅狭の溝３５５ａが形成されている。また、可動片３５１１ａが可動片３５１１ｂの立設片３５１９と対向する対向面３５１１ａ１と、立設片３５１９の対向面３５１９ｂとの間にも幅狭の溝３５５ｂが形成されている。そして、本変形例においてはこれら溝３５５ａと溝３５５ｂは略垂直に屈曲しながら連通しており、これら溝３５５ａと溝３５５ｂにより後述する糸状体（吊り糸）Ｉ（図２５参照）の動作を規制する規制部３５５が形成されている。
【０１０９】
図２４は、第２の変形例に係る球戻り抑止部材３５１の動作を模式的に示す図である。球戻り抑止部材３５１は、可動片３５１１が回動可能なように、シャフト３５７が図示しない軸受部材に取付けられて、遊技球発射領域ＲＡと遊技領域ＰＡとを画定する位置に配置される。球戻り抑止部材３５１は、常時は図２４に示されるように錘３５８の重力により可動片３５１１が略鉛直方向に直立するような姿勢で保持されている。
【０１１０】
そして、遊技球発射領域ＲＡから遊技球が遊技領域ＰＡに進入するべく可動片３５１１に衝突すると、シャフト３５７を支軸に可動片３５１１が矢印Ｃ方向に破線で示す位置に回動して遊技球の遊技領域ＰＡへの進入が許容される。一方、遊技領域ＰＡ内に進入した遊技球が遊技領域ＰＡ側から可動片３５１１に衝突すると、球戻り抑止部材３５１の錘支持部３５１６ａ及び錘支持部３５１６ｂ（図２２参照）が保持部材３８０に設けられた動作規制部３８１に当接して、矢印Ｃと逆方向への可動片３５１１の回動動作が規制され遊技球発射領域ＲＡへの遊技球の逆行が防止される。
【０１１１】
図２５は、不正器具である糸付球ＢＩが遊技領域ＰＡに進入した場合の第２の変形例に係る球戻り抑止部材３５１の作用を説明するための図である。遊技領域ＰＡに進入した糸付球ＢＩを吊下した糸状体Ｉは、まず、図２５（ａ）に示されるように開放端３５１０側から球戻り抑止部材３５１の谷部３５３にて斜辺３５１２ａ等に当接する。
【０１１２】
続いて、図２５（ｂ）に示されるように糸付球ＢＩの自重により糸状体Ｉに作用する張力によって谷部３５３の底部３５３ａへ導かれる。そして、図２５（ｃ）に示されるように糸状体Ｉは溝３５５ａ及び溝３５５ｂからなる規制部３５５へと導かれる。このとき、規制部３５５の溝３５５ａ及び溝３５５ｂを形成する周囲の部材（対向端面３５１３ａ、対向端面３５１３ｂ、対向面３５１１ａ１、対向面３５１９ｂ等の角部）と糸状体Ｉに生じる摩擦力により糸状体Ｉの動作が規制される。
【０１１３】
なお、第２の変形例において糸状体Ｉの「動作を規制する」とは、規制部３５５の作用により糸状体Ｉの自由な動作、すなわち不正行為者の糸状体Ｉの操作による当該不正行為者の意図する動作を規制することを意味する。第２の変形例に係る球戻り抑止部材３５１によれば不正行為者の意図する動作を規制することができるので、いわゆる糸吊りゴトと呼ばれる不正行為を有効に防止することができる。
【０１１４】
規制部３５５で動作が規制された糸状体Ｉには、吊下された糸付球ＢＩの自重による張力に加えて、順次遊技領域ＰＡに発射される正規の遊技球により球戻り抑止部材３５１が繰り返し回動動作することによる張力が加わるので、規制部３５５における摩擦力が増大し、糸状体Ｉが規制部３５５にて切断されることも十分に期待できる。
【０１１５】
以上説明したように第２の変形例に係る球戻り抑止部材３５１によれば、糸状体Ｉを連結した遊技球による不正行為を効果的に防止することができる。そして、第１実施形態に係るパチンコ機ＰＭに第２の変形例の構成を組み込むことにより、釣糸等の糸状体を付けた遊技球を不正に操作して遊技球の入賞を検出させる不正入賞行為（糸吊りゴト）をより効果的に抑止することができる。なお、上記の変形例に係る球戻り抑止部材３５１は球戻り抑止部材３５１ａと球戻り抑止部材３５１ｂの２つの部品で球戻り抑止部材３５１を構成する例を示したが１つの部品で球戻り抑止部材３５１を構成しても良い。
【０１１６】
次に、図２６ないし図２８を参照して第３の変形例に係る球戻り抑止部材３６１について説明する。尚、第２の変形例と同様の構成については、第２の変形例と同様の符号を付し、説明を省略する。
【０１１７】
図２６は、第３の変形例に係る球戻り抑止部材３６１が配置される位置を説明するための部分拡大斜視図である。図２６に示されるように、内レール１２ｂと飛送レール１２ａの間に画定される遊技球発射領域ＲＡと遊技領域ＰＡとを画定する位置に球戻り抑止部材３６１が配置されている。第３の変形例に係る球戻り抑止部材３６１は板バネ材を型抜きして形成されており、弾性的に変形可能な可動片３６２と、この可動片３６２の開放端３６２０に形成された谷部３６３と、この谷部３６３の底部３６３ａから連続して細溝状に形成された規制部３６５と、を備えている。球戻り抑止部材３６１は、内レール１２ｂの先端部に取付部３６１ａをスポット溶接等の手段により固着して取付けられている。
【０１１８】
図２７は第３の変形例に係る球戻り抑止部材３６１の構成を示す図であり、図２７（ａ）は球戻り抑止部材３６１の正面図、図２７（ｂ）は図２７（ａ）のＡ−Ａ線断面図である。図２７（ａ）に示されるように、球戻り抑止部材３６１は、弾性的に変形可能な可動片３６２と、この可動片３６２の上部の前側開放端３６２０ａと後側開放端３６２０ｂから下方に向けて傾斜形成された斜辺３６１１，３６１２を備えている。そして、これら斜辺３６１１，３６１２によって下方に向けて漸次幅が狭くなるような谷部３６３が形成されている。
【０１１９】
谷部３６３の底部３６３ａから連続して下方に向かう細溝状の規制部３６５が形成されている。規制部３６５には、対向する前側可動片３６２ａと後側可動片３６２ｂとに刃３６５ａ，３６５ａが形成されており、この対向する刃３６５ａ，３６５ａによって第３の変形例に係る球戻り抑止部材３６１における糸状体Ｉを切断する切断部が形成されている。球戻り抑止部材３６１の下部は、球戻り抑止部材３６１を内レール１２ｂの先端部に固着して取付けるための取付部３６１ａとなっている。
【０１２０】
図２７（ｂ）は図２７（ａ）のＡ−Ａ線断面図であり、糸状体Ｉに吊下された糸付球ＢＩが遊技領域ＰＡ内に進入し、糸状体Ｉが球戻り抑止部材３６１の規制部３６５に導かれた状態とともに示している。図２７（ｂ）に示されるように、球戻り抑止部材３６１の規制部３６５に形成された刃３６５ａ，３６５ａによる切断部に導かれた糸状体Ｉは、糸付球ＢＩの自重により糸状体Ｉに張力が作用するため、この刃３６５ａ，３６５ａにより形成された切断部にて切断される。
【０１２１】
図２８は、第３の変形例に係る球戻り抑止部材３６１の作用を説明するための図である。糸付球ＢＩに連結された糸状体Ｉは、遊技球発射領域ＲＡから遊技領域ＰＡに進入すると、まず、球戻り抑止部材３６１の開放端３６２０から谷部３６３へ進入し谷部３６３で斜辺３６１１，３６１２のいずれかに当接する（Ｄ１）。続いて、糸付球ＢＩの自重により糸状体Ｉに作用する張力によって谷部３６３の底部３６３ａへ導かれる（Ｄ２）。そして、糸状体Ｉは谷部３６３の底部３６３ａから連続して下方に形成された規制部３６５に導かれ、規制部３６５の刃３６５ａ，３６５ａにより形成された切断部に至る（Ｄ３）。切断部に至った糸状体Ｉは、糸付球ＢＩの自重により作用する張力によって切断部で切断される（Ｄ４）。
【０１２２】
なお、第３の変形例に係る球戻り抑止部材３６１は図２６及び図２８に示されるように可動片３６２が遊技領域ＰＡから遊技球発射領域ＲＡに向かう方向に湾曲成型されており、常時は可動片３６２の開放端３６２０が略鉛直方向又は若干遊技領域ＰＡ側に傾けて配置されている。これにより、遊技球の遊技球発射領域ＲＡ側から遊技領域ＰＡ側への遊技球の進入に際しては可動片３６２の上端側が飛送レール１２ａから離間する方向に変位して遊技球の遊技領域ＰＡへの進入を許容する。一方、遊技領域ＰＡ側から遊技球発射領域ＲＡ側へ遊技球が逆行しようとすると、可動片３６２の上端側が飛送レール１２ａに近接する方向に変位して進路を塞ぎ遊技球の逆行が防止される。
【０１２３】
以上説明したように第３の変形例に係る球戻り抑止部材３６１によれば、いわゆる糸吊りゴトと呼ばれる不正行為を有効に防止することができる。そして、第１実施形態に係るパチンコ機ＰＭに第３の変形例の構成を組み込むことにより、釣糸等の糸状体を付けた遊技球を不正に操作して遊技球の入賞を検出させる不正入賞行為（糸吊りゴト）をより効果的に抑止することができる。
【０１２４】
図２９は第４の変形例に係る球戻り抑止部材３７１の構造を示す図である。尚、第２および第３の変形例と同様の構成については、第２および第３の変形例と同様の符号を付し、説明を省略する。
【０１２５】
図２９（ａ）は第４の変形例に係る球戻り抑止部材３７１の正面図、図２９（ｂ）は図２９（ａ）のＢ−Ｂ線断面図を糸状体Ｉに吊下された糸付球ＢＩが遊技領域ＰＡ内に進入し、糸状体Ｉが球戻り抑止部材３７１の規制部３７５に導かれた状態とともに示している。
【０１２６】
この第４の変形例は、上記第３の変形例における球戻り抑止部材３６１の規制部３６５の変形例を示すものである。第４の変形例に係る球戻り抑止部材３７１は上記第３の変形例と同様に板バネ材を型抜きして形成されており、弾性的に変形可能な可動片３７２と、この可動片３７２の上部の前側開放端３７２０ａと後側開放端３７２０ｂから下方に向けて傾斜形成された斜辺３７１１，３７１２を備えている。そして、これら斜辺３７１１，３７１２によって下方に向けて漸次幅が狭くなるような谷部３７３が形成されている。更に、この谷部３７３の底部３７３ａから連続して細溝状に形成された規制部３７５と、を備えている。
【０１２７】
第４の変形例に係る球戻り抑止部材３７１は、可動片３７２の上部の開放端３７２０から下方に向けて傾斜形成された斜辺３７１１，３７１２を備えており、これら斜辺３７１１，３７１２によって下方に向けて漸次幅が狭くなるような谷部３７３が形成されている。谷部３７３の底部３７３ａから連続して、対向する前側可動片３７２ａと後側可動片３７２ｂとの間に下方に向かう細溝状の規制部３７５が形成されている。更に、規制部３７５の底部には刃３７５ａが形成されており、糸状体Ｉを切断する切断部を形成している。球戻り抑止部材３７１の下部は、球戻り抑止部材３７１を内レール１２ｂの先端部に固着して取付けるための取付部３７１ａとなっている。
【０１２８】
図２９（ｂ）に示されるように、第４の変形例に係る球戻り抑止部材３７１を経て糸状体Ｉに連結された糸付球ＢＩが遊技球発射領域ＲＡから遊技領域ＰＡへ進入すると、糸付球ＢＩが連結された糸状体Ｉは球戻り抑止部材３７１の開放端３７２０から進入し谷部３７３を形成する斜辺３７１１，３７１２のいずれかに当接して谷部３７３の底部３７３ａに導かれる。そして、糸状体Ｉは、この底部３７３ａから下方に連続して形成された規制部３７５により動作を規制されつつ切断部の刃３７５ａに到達し、切断される。
【０１２９】
第４の変形例に係る球戻り抑止部材３７１によれば、いわゆる糸吊りゴトと呼ばれる不正行為を有効に抑止することができる。そして、第１実施形態に係るパチンコ機ＰＭに第４の変形例の構成を組み込むことにより、釣糸等の糸状体を付けた遊技球を不正に操作して遊技球の入賞を検出させる不正入賞行為（糸吊りゴト）をより効果的に抑止することができる。
【０１３０】
次に、パチンコ機の第２実施形態について説明する。第１実施形態に係るパチンコ機ＰＭがいわゆる垂直発射と称される発射機構を備えているのに対し、第２実施形態に係るパチンコ機ＰＭ２はいわゆる斜め発射と称される発射機構を備えている。第２実施形態に係るパチンコ機ＰＭ２を図３０〜図３２に示しており、まず、これらの図面を参照しながら第２実施形態に係るパチンコ機ＰＭ２の全体構成について要約説明する。
【０１３１】
第２実施形態に係るパチンコ機ＰＭ２は、図３０に示すように、外郭方形枠サイズに構成されて縦向きの固定保持枠をなす外枠５０１の開口前面に、これに合わせた方形枠サイズに構成された開閉搭載用の前枠５０２が互いの正面左側上下に配設されたヒンジ機構５０３ａ，５０３ｂにより前方に横開き開閉及び着脱が可能に取り付けられ、正面右側に設けられたダブル錠と称される施錠装置５０４を利用して常には外枠５０１と係合連結された閉止状態に保持される。
【０１３２】
前枠５０２の前面（表面）上部側には、透明アクリル板やガラス板を有したガラス扉５０５が左端部のヒンジ（図示せず）を介して横開きおよび着脱が自在に取り付けられ、施錠装置５０４により常には前枠５０２の前面を覆う閉止状態に保持される。ガラス扉５０５の背後に位置する前枠上部には、遊技盤５１０を着脱自在に収容する収容枠（図示せず）が設けられており、この収容枠に立設姿勢で係止保持された遊技盤５１０がガラス扉５０５を通して視認されるようになっている。また、前枠５０２の前面上部における左右には、スピーカ５２１がそれぞれ配設されている。
【０１３３】
遊技盤５１０は、所定板厚の積層合板の表面にセルを貼り付けてルーター加工した化粧板を基板とし、円弧状のレール５１１等に囲まれて略円形状の遊技領域ＰＡ２が形成されている。遊技領域ＰＡ２には、多数本の遊技釘や風車（図示せず）とともに各種入賞装置（図示せず）等の遊技構成部品が取り付けられ、下端部にアウト口５１２が設けられている。
【０１３４】
前枠５０２の前面（表面）における上記ガラス扉５０５の下側には、上球皿５３０が左端のヒンジ機構５２２（図３３を参照）により横開きおよび着脱可能に取り付けられ、常には右側に設けられたロック機構５２３（図３３を参照）によりガラス扉５０５の下側において前枠５０２の前面を覆った状態で係止保持されている。また、図３１に示すように、上球皿５３０に前面側が覆われた前枠５０２の下部領域には遊技補助盤５２５と称される補助機構部が形成されており、この遊技補助盤５２５には、遊技盤５１０の遊技領域ＰＡ２内に遊技球を発射する発射機構５２６や、発射機構５２６から発射された遊技球を遊技盤５１０に案内する発射レール（図示せず）、後述する球払出装置５４２から払い出された遊技球（賞球）が排出される通出口５２７等が設けられている。
【０１３５】
上球皿５３０は、遊技補助盤５２５の前面（表面）を覆うように形成された当て板部５３１と、当て板部５３１の前方に突出して設けられ、遊技中に払い出された遊技球（賞球）を受容して貯留する球皿部５３２とを有して構成され、さらに球皿部５３２の右側（下流部）には球抜きレバー５３３が取り付けられる。当て板部５３１の裏面側には、図３１に示すように、球皿部５３２に貯留された遊技球（賞球）を１球ずつ発射機構５２６（発射レール）に供給する整流器５５０が取り付けられている。当て板部５３１の左上部には通出口５２７と位置整合して通出樋５３４が形成されており、通出口５２７から排出される賞球が通出樋５３４を通って球皿部５３２に導かれるように構成されている。なお、図３０に示すように、球皿部５３２の底部は右方に向かうにつれて下方へ傾斜するように形成されており、球皿部５３２に貯留された遊技球が重力の作用により整流器５５０へ導かれるようになっている。
【０１３６】
前枠５０２の前面（表面）における上球皿５３０の下側には、図３０に示すように、下球皿５０７が前方に突出して設けられている。この下球皿５０７は、上球皿５３０の球皿部５３２に貯留された遊技球（賞球）がオーバーフローしたときや、遊技者が上球皿５３０の球抜きレバー５３３を操作して上球皿５３０から遊技球を抜いたときに、前枠５０２側に形成された球皿通路５２８および下球皿出口５２９を介して送られてくる遊技球を受容して貯留するようになっている。また、下球皿５０７の右側には、遊技球の発射操作を行う発射ハンドル５０８が取り付けられている。
【０１３７】
前枠５０２の背面（裏面）上部には、図３２に示すように、外枠５０１の背面側における右上部内側の形状に合わせて逆Ｌ字形に形成された第１裏セット盤５４０がヒンジ機構（図示せず）により横開き開閉および着脱可能に取り付けられ、常には前枠５０２の背面右上部を覆う閉鎖状態に保持される。第１裏セット盤５４０には、遊技球を貯留するとともに貯留した遊技球を整列させて流下させる球貯留タンク５４１、入賞状態等に基づいて遊技球を払い出す球払出装置５４２、球払出装置５４２から払い出された遊技球を上球皿５３０に導く球払出通路５４３等の遊技球の処理機構が設けられている。
【０１３８】
前枠５０２の背面（裏面）下部には、前枠５０２の背面下部を覆う第２裏セット盤５４５がヒンジ機構（図示せず）により横開き開閉および着脱可能に取り付けられ、常には前枠５０２の背面下部を覆う閉鎖状態に保持される。第２裏セット盤５４５には、各制御装置および電子部品等に電力を供給する電源ユニット５４６や、遊技球の払出作動を制御する球払出制御装置５４７、パチンコ機ＰＭ２の作動を統括的に制御する主制御装置（図示せず）等が取り付けられており、これらが図示しないコネクタケーブルで接続されてパチンコ機ＰＭ２が作動可能に構成される。
【０１３９】
パチンコ機ＰＭ２は、ガラス扉５０５、上球皿５３０、第１および第２裏セット盤５４０，５４５等が閉鎖施錠された状態で遊技に供され、上球皿５３０に遊技球を貯留させて発射ハンドル５０８を回動操作することにより遊技が開始される。発射ハンドル５０８が回動操作されると、上球皿５３０に貯留された遊技球は、上球皿５３０の裏面側に位置する発射機構５２６により１球ずつ遊技領域ＰＡ２に打ち出され、パチンコゲームが展開される。
【０１４０】
第２実施形態に係るパチンコ機ＰＭ２においても、整流器５５０に不正防止具（詳細は後述する受容部材１００および切断部材１１０）が設けられている。以下、整流器５５０について図３３〜図３９を追加参照しながら説明する。
【０１４１】
整流器５５０は、図３６および図３７に示すように、開口部を有する箱形のケース部材５６０と、ケース部材５６０の開口部を覆うケース蓋部材５７０とを主体に構成され、内部に傾斜通路５８０が形成される。傾斜通路５８０は、上球皿５３０に繋がる上流側から下流側へ向かうにつれて下方へ連続的に（直線的に）傾斜するように形成され、傾斜通路５８０の上流側に設けられ上球皿５３０に貯留された遊技球を整列して流下させる球供給通路５８１と、傾斜通路５８０の下流側に設けられ球供給通路５８１の終端部に達した遊技球を下球皿５０７（すなわち、パチンコ機ＰＭ２の外部）へ導くことが可能な球抜き通路５８２とを主体に構成される。
【０１４２】
球供給通路５８１の下流側壁部には、球抜き通路５８２に繋がる球抜き口５８３が略鉛直方向に延びて形成されており、この球抜き口５８３を介して球供給通路５８１と球抜き通路５８２とが連通するようになっている。球供給通路５８１における球抜き口５８３の近傍には連絡口５８４が形成されており、球供給通路５８１を流下する遊技球がこの連絡口５８４を通過して後述する遊技球供給装置６００に導かれるようになっている。また、球供給通路５８１における球抜き口５８３に対向して、通路壁部５８５が略鉛直方向に延びるように形成されている。
【０１４３】
ところで、ケース部材５６０は、ポリカーボネート（ＰＣ）やポリアセタール樹脂（ＰＯＭ）等の樹脂材料を用いて、射出成形等の成形手段により前面側に開口部を有する箱形に一体的に成形され、各通路を構成する壁部等が所定の位置に形成されている。図３４および図３５に示すように、ケース部材５６０の中央下部裏面側には球出口５６１が形成されており、連絡口５８４を通過した遊技球が遊技球供給装置６００によりこの球出口５６１から発射機構５２６（発射レール）へ送り出されるようになっている。図３６および図３７に示すように、ケース部材５６０の左側部下端には、球抜き通路５８２の終端部に繋がる排出口５６２が形成されており、球抜き通路５８２の終端部に達した遊技球がこの排出口５６２から整流器５５０の左方に位置する球皿通路５２８（図３３および図３４を参照）へ排出されるようになっている。
【０１４４】
また、ケース蓋部材５７０は、図３６および図３７に示すように、ＡＢＳ樹脂等の透明樹脂材料を用いて、射出成形等の成形手段によりケース部材５６０の開口部に合わせた板状に一体的に成形され、ネジ５５２等の固定手段を用いてケース部材５６０の開口部に取り付けられる。ケース蓋部材５７０の右上部には、球供給通路５８１の上端部に繋がる球入口５７１が形成されており、上球皿５３０の右端に達した遊技球がこの球入口５７１を通過して球供給通路５８１を流下するようになっている。
【０１４５】
ケース部材５６０（整流器５５０）の内部における傾斜通路５８０の左上方には、球抜き口５８３を開閉可能な球抜き部材５９０が取り付けられている。球抜き部材５９０は、ポリアセタール樹脂（ＰＯＭ）等の樹脂材料を用いて、射出成形等の成形手段により鉤爪状に一体的に成形され、ケース部材５６０に対し、球抜き口５８３を閉鎖する球抜き口閉鎖位置（図３６を参照）と、球抜き口５８３を開放する球抜き口開放位置（図３７を参照）とに選択的に揺動変位可能に取り付けられる。
【０１４６】
球抜き部材５９０の先端には蓋部５９１が形成されており、図３６に示すように、球抜き部材５９０が球抜き口閉鎖位置に位置するときに球抜き口５８３を塞ぎ、通路壁部５８５に対向して略鉛直方向に延びる壁面を形成するようになっている。なお、球抜き通路５８２の始端側天井部には、蓋部５９１が通過可能な通過口５８６が形成されている。球抜き部材５９０の上側部には、連結アーム部５９２が上方へ延びるように形成されており、先端がケース部材５６０（整流器５５０）の上方（外方）へ突出するようになっている。なお、ケース部材５６０の天井部左側には、連結アーム部５９２が通過可能なアーム逃げ部５６３が左右に延びて形成されている。
【０１４７】
ケース部材５６０の内部における連結アーム部５９２の側部には、ピン形状の第１バネ取付部（図示せず）が形成されており、第１付勢バネ５９５の一端が取り付けられるようになっている。第１付勢バネ５９５は、引っ張りコイルバネであり、一端が前述の第１バネ取付部に取り付けられるとともに、他端がケース部材５６０に形成されたピン形状の第２バネ取付部５６４に取り付けられるようになっている。そして、この第１付勢バネ５９５の付勢力により、図３６に示すように、球抜き部材５９０が常には球抜き口閉鎖位置に付勢されるようになっている。
【０１４８】
連結アーム部５９２の先端側にはピン部５９４が形成されており、上球皿５３０の当て板部５３１に取り付けられたスライド部材５５５（図３４を参照）が当接するようになっている。スライド部材５５５は、図３４に示すように、樹脂材料を用いて左右に延びる角棒形に形成され、当て板部５３１の裏面側における整流器５５０の上方に左右へスライド移動自在に取り付けられる。スライド部材５５５の先端側部には板状のアーム当接部５５６が形成されており、スライド部材５５５が左方（図３４における右方）へスライド移動したときに連結アーム部５９２のピン部５９４に当接するようになっている。
【０１４９】
スライド部材５５５の中央部近傍にはピン形のアーム係合部５５７が形成されており、揺動アーム５３５の下部に形成された係合穴５３６に相対回転自在に係合するようになっている。揺動アーム５３５は、上部が当て板部５３１の裏面側に枢結されるとともに球抜きレバー５３３と連結されるようになっており、球抜きレバー５３３の押し操作（揺動操作）に連動して、揺動アーム５３５の下部が左右方向へ揺動するように構成されている。そして、揺動アーム５３５と係合穴５３６およびアーム係合部５５７を介して連結されたスライド部材５５５は、揺動アーム５３５の下部が左右へ揺動するのに連動して、左右へスライド移動するようになっている。なお、当て板部５３１の裏面側における揺動アーム５３５の左方（図３４における右方）には、揺動アーム５３５の左方への揺動を規制する揺動ストッパ５３７が形成されている。
【０１５０】
スライド部材５５５の基端側にはピン形状の第３バネ取付部５５８が形成されており、第２付勢バネ５５９の一端が取り付けられるようになっている。第２付勢バネ５５９は、引っ張りコイルバネであり、一端が前述の第３バネ取付部５５８に取り付けられるとともに、他端が当て板部５３１の裏面側に形成されたフック形状の第４バネ取付部５３８に取り付けられるようになっている。そして、この第２付勢バネ５５９の付勢力により、図３４に示すように、スライド部材５５５が常には右方（図３４における左方）に付勢されるようになっている。
【０１５１】
さて、図３６および図３７に示すように、ケース部材５６０（整流器５５０）の内部における傾斜通路５８０の右下方には、球供給通路５８１を流下する遊技球を連絡口５８４に通過させて１球ずつ発射機構５２６（発射レール）に供給する遊技球供給装置６００が配設されている。遊技球供給装置６００は、連絡口５８４の下方に設けられた球送り部材６０１と、球送り部材６０１と連結されたフラッパ６１０と、フラッパ６１０を上下に揺動させるフラッパソレノイド６１１とを有して構成される。
【０１５２】
球送り部材６０１は、ポリアセタール樹脂（ＰＯＭ）等の樹脂材料を用いて、射出成形等の成形手段により側面視Ｌ字形に一体的に成形され、ケース部材５６０に対し、連絡口５８４を閉鎖する連絡口閉鎖位置（図３８を参照）と、連絡口５８４を開放して球供給通路５８１の終端部に達した遊技球を１球ずつ発射機構５２６へ導く連絡口開放位置（図３９を参照）とに選択的に揺動変位可能に取り付けられる。球送り部材６０１の左右側部には軸部６０２が形成されており、ケース部材５６０の中央下部に形成された球送り部材取付部５６５に軸部６０２が係合した状態で、球送り部材６０１がこの軸部６０２を揺動軸として前後方向へ揺動するようになっている。
【０１５３】
図３５に示すように、球送り部材６０１の右側部下方（図３５における左側部下方）には、溝付き突起状のフラッパ連結部６０３が形成されており、このフラッパ連結部６０３にフラッパ６１０の左端部が係合することで、球送り部材６０１とフラッパ６１０とが連結されるようになっている。
【０１５４】
球送り部材６０１の上部には球止め部６０４が形成されており、図３８に示すように、球送り部材６０１が連絡口閉鎖位置に位置するときに連絡口５８４を塞ぐとともに、球供給通路５８１の終端部に達した遊技球を球止め部６０４の上面で受け止めるようになっている。また、図３６および図３７に示すように、球止め部６０４の上面は、傾斜通路５８０の傾斜方向とほぼ同じ方向に傾斜する平面状に形成されており、さらに、球止め部６０４の上面における下流側端部が球抜き口５８３の下端に滑らかに繋がるように構成されている。
【０１５５】
図３９に示すように、球送り部材６０１の下部には球受け部６０５が形成されており、球送り部材６０１が連絡口開放位置に変位したときに連絡口５８４を通過した遊技球を１球だけ受け入れて保持し、この状態で、球送り部材６０１が連絡口開放位置から連絡口閉鎖位置に変位したときに、保持した遊技球を球出口５６１から発射機構５２６（発射レール）へ送り出すようになっている。
【０１５６】
フラッパ６１０は、図３４に示すように、鉄等の磁性を有する金属材料を用いて板状に形成されており、球送り部材６０１の右方（図３４における左方）に隣接してケース部材５６０に対し上下方向へ揺動自在に取り付けられ、連結された球送り部材６０１と一体的に揺動するようになっている。フラッパソレノイド６１１は、フラッパ６１０の上方に位置してケース部材５６０に取り付けられており、フラッパソレノイド６１１がオン作動すると、磁力によりフラッパ６１０がフラッパソレノイド６１１に引き寄せられ、図３９に示すように、フラッパ６１０とともに球送り部材６０１（球止め部６０４）が前方へ揺動して連絡口開放位置に変位するようになっている。
【０１５７】
また、球送り部材６０１の底部後方には金属製の重り部材６０９が取り付けられており、フラッパソレノイド６１１がオフ作動したときに、重力の作用により、図３８に示すように、フラッパ６１０とともに球送り部材６０１（球止め部６０４）が後方へ揺動して連絡口閉鎖位置に変位するようになっている。これにより、フラッパソレノイド６１１がオン・オフ作動するのに伴って、球送り部材６０１が連絡口開放位置と連絡口閉鎖位置とに選択的に揺動変位するようになっている。なお、図３５に示すように、ケース部材５６０の底部右側（図３５における左側）には、球送り部材６０１が連絡口開放位置に位置したときにフラッパ６１０の揺動を規制する揺動ストッパ５６６が形成されている。
【０１５８】
また、図３５〜図３７に示すように、ケース部材５６０の左端にはラッチ取付部５６９が形成されており、ナイラッチ５５１が取り付けられるようになっている。そして、図３４に示すように、当て板部５３１の裏面側に形成された整流器取付部５３９に整流器５５０を位置整合させた状態で、ラッチ取付部５６９に取り付けられたナイラッチ５５１を当て板部５３１のラッチ係合穴（図示せず）に係合させることで、整流器５５０が上球皿５３０（当て板部５３１）の裏面側右方に着脱自在に取り付けられる。
【０１５９】
ところで、球供給通路５８１は、球入口５７１から連絡口５８４までは概ね左右方向に伸びているが、連絡口５８４から球出口５６１までの部分で延伸方向が直角に（前後方向に）折れ曲がる。このように球供給通路５８１の延伸方向が変わる方向転換部の近傍に、より具体的には、整流器５５０における球出口５６１の近傍に、球供給通路５８１に通された糸状体Ｉ（図３５を参照）を受容して挟むことが可能な受容部材７００が設けられる。
【０１６０】
受容部材７００は、図３５に示すように、ステンレス鋼等の金属線材を用いて「山」の字形に曲げ形成され、第１実施形態の場合と同様に、糸状体導入部７０１と、糸状体受容部７０２と、第１取付部７０３と、第２取付部（図示せず）とを有して構成される。なお、図３１および図３３において、整流器５５０における受容部材７００等の図示を省略している。糸状体導入部７０１は、受容部材７００の基端部中央に位置して、受容部材７００の基端部から先端側へ向かうにつれて間隔が狭くなるテーパー状に形成される。糸状体受容部７０２は、糸状体導入部７０１と繋がる受容部材７００の先端側に位置して、細長いＵ字形に形成される。Ｕ字形に形成された糸状体受容部７０２の間隙部は、所定の糸状体Ｉ（例えば、釣糸や凧糸等）よりも若干細い幅に設定される。第１取付部７０３は、受容部材７００の一方の側端部に位置して、整流器５５０の突起部７６１が挿通可能な円環状に形成される。第２取付部は、詳細な図示を省略するが、第１実施形態の場合と同様に、受容部材１００の他方の側端部に位置して、第２取付部をネジ固定するためのネジ７２０が挿通可能な円環状に形成される。
【０１６１】
ケース部材５６０の外壁部における球出口５６１の上方には、受容部材７００の第１取付部７０３に挿通される突起部７６１と、ネジ７２０が螺合されるネジ穴（図示せず）とが形成される。なお、突起部７６１の外径に対して、受容部材７００の第１取付部７０３の内径が若干大きくなるように形成される。これにより、突起部７６１と第１取付部７０３との間の隙間の分だけ、受容部材７００を弾性変形させることができるため、受容部材７００の糸状体受容部７０２の間隙部よりも太い糸状体Ｉを受容部材７００（糸状体受容部７０２）で受容して挟むことが可能となる。
【０１６２】
ケース部材５６０の外壁部における突起部７６１およびネジ穴（図示せず）の上方には、受容部材７００の先端部が挿入固定される受容部材固定部７６２が形成される。また、ケース部材５６０の外壁部における突起部７６１とネジ穴（図示せず）との間には、球出口５６１（すなわち、球供給通路５８１における方向転換部）に繋がって、受容部材７００の糸状体導入部７０１を露出させるスリット部７６３が形成される。このスリット部７６３は、整流器５５０に取り付けられた受容部材７００（糸状体受容部７０２）の延伸方向に沿って斜め方向へ伸びるように形成される。
【０１６３】
受容部材７００を整流器５５０に取り付けるには、受容部材７００の先端部を受容部材固定部７６２に挿入するとともに、受容部材７００の第１取付部７０３を整流器５５０の突起部７６１に挿通させ、ワッシャ７２１とともにネジ７２０を受容部材７００の第２取付部（図示せず）に挿通させて整流器５５０のネジ穴（図示せず）に螺合させる。これにより、受容部材７００が整流器５５０に取り付けられる。
【０１６４】
このようにして受容部材７００が取り付けられた整流器５５０において、球抜きレバー５３３が操作されない場合、すなわち、通常の場合には、図３４に示すように、第２付勢バネ５５９の付勢力によりスライド部材５５５が右方（図３４における左方）にスライド移動するため、図３６に示すように、第１付勢バネ５９５の付勢力により球抜き部材５９０が球抜き口閉鎖位置に（右方に）揺動変位する。また、発射ハンドル５０８が回動操作されない場合には、遊技球供給装置６００のフラッパソレノイド６１１がオフ作動しており、図３６および図３８に示すように、球送り部材６０１が重力の作用で連絡口閉鎖位置に揺動変位するようになっている。
【０１６５】
上述のように、発射ハンドル５０８および球抜きレバー５３３が操作されない場合、すなわち、球送り部材６０１が連絡口閉鎖位置に位置し、かつ球抜き部材５９０が球抜き口閉鎖位置に位置するときには、上球皿５３０に貯留された遊技球は、上球皿５３０の右端から球入口５７１を通過して球供給通路５８１を流下し、図３６および図３８に示すように、球供給通路５８１を流下する遊技球が球抜き部材５９０により球抜き通路５８２への流下が規制されつつ球止め部６０４の上面で受け止められる。
【０１６６】
この状態で、発射ハンドル５０８が回動操作されると、遊技球供給装置６００により球供給通路５８１を流下する遊技球が連絡口５８４および球出口５６１を通過して１球ずつ発射機構５２６（発射レール）に供給され、発射機構５２６が供給された遊技球を１球ずつ遊技領域ＰＡに向けて打球発射する。遊技球供給装置６００により球供給通路５８１を流下する遊技球を１球ずつ発射機構５２６に供給するには、遊技球が球止め部６０４の上面で受け止められた状態で、フラッパソレノイド６１１をオン作動させたのち、所定時間後に再びフラッパソレノイド６１１をオフ作動させる。
【０１６７】
このとき、まず、フラッパソレノイド６１１のオン作動により、フラッパ６１０が磁力によりフラッパソレノイド６１１に引き寄せられ、連絡口閉鎖位置に位置する球送り部材６０１がフラッパ６１０とともに前方へ揺動して連絡口開放位置に変位するため、図３９に示すように、球止め部６０４の上面で受け止められていた遊技球は連絡口５８４を通過し、球受け部６０５が連絡口５８４を通過した遊技球を１球だけ受け入れて保持する。この状態で、フラッパソレノイド６１１が再びオフ作動すると、球送り部材６０１が連絡口開放位置から連絡口閉鎖位置に揺動変位し、図３８に示すように、球受け部６０５に保持された遊技球が球出口５６１から発射機構５２６（発射レール）へ送り出される。
【０１６８】
このようにして、遊技球供給装置６００により球供給通路５８１を流下する遊技球が１球ずつ発射機構５２６に供給される。そして、発射機構５２６の発射動作毎にフラッパソレノイド６１１をオン・オフ作動させ、球送り部材６０１を連絡口開放位置と連絡口閉鎖位置とに交互に変位させることで、発射機構５２６が発射動作を行う毎に、球供給通路５８１を流下する遊技球が１球ずつ連続的に発射機構５２６へ供給される。これにより、簡便な構成で遊技球を１球ずつ発射機構５２６に供給することができる。
【０１６９】
なおこのとき、球止め部６０４の上面で受け止められた遊技球に隣接する（１個前の）遊技球は、球送り部材６０１が連絡口開放位置に位置すると、図３９に示すように、球受け部６０５に保持された遊技球の上方に隣接する形で球供給通路５８１における連絡口５８４の直前位置に達し、球送り部材６０１が連絡口閉鎖位置に戻るときに球止め部６０４の上面で受け止められるようになっている。
【０１７０】
上球皿５３０に貯留された遊技球の中に糸付球が存在すると、当該糸付球は、他の遊技球とともに上球皿５３０から整流器５５０内の球供給通路５８１を流下して、遊技球供給装置６００により発射機構５２６に送り出され、発射機構５２６のハンマーにより遊技領域ＰＡ２に打ち出される。このとき、糸付球に固着された糸状体Ｉは、球供給通路５８１に通された状態で、不正行為者に引っ張られると真直ぐに伸びようとする。本実施形態では、球供給通路５８１の延伸方向が変わる方向転換部の近傍に、より具体的には、整流器５５０における球出口５６１の近傍に、受容部材７００が設けられている。そのため、球出口５６１の近傍において真直ぐに伸びようとする糸状体Ｉは、球出口５６１の縁部を伝ってスリット部７６３に達し、図３５に示すように、受容部材７００の糸状体導入部７０１から糸状体受容部７０２の間隙部に導かれる。
【０１７１】
ここで、糸状体Ｉが糸状体受容部７０２の間隙部よりも太い場合、糸状体Ｉにより糸状体受容部７０２の間隙部が押し広げられて受容部材７００（糸状体受容部７０２）が弾性変形するので、受容部材７００は、受容部材７００の弾性力による遊技球の自重よりも強い力で、受容した糸状体Ｉを挟むことができる。そのため、糸状体Ｉが受容部材７００に引っ掛かった状態となり、遊技領域ＰＡ２に打ち出された糸付球を無理に引き上げることはできても、下方へ移動させることはできなくなる。このようにして、糸付球を用いた不正入賞行為を抑止することができる。
【０１７２】
また、第１実施形態の場合と同様にして、受容部材７００に受容された糸状体Ｉを切断可能な切断部材（図示せず）を整流器５５０に取り付けるようにしてもよい。これにより、糸状体Ｉが強く引っ張られた場合や、糸状体Ｉが糸状体受容部７０２の間隙部と同等の太さかこれよりも細い場合、糸状体受容部７０２の間隙部に導かれた糸状体Ｉは、受容部材７００と重なって設けられた切断部材の刃部まで達し、切断部材が糸状体Ｉを切断することができる。そのため、不正入賞行為をより効果的に抑止することが可能となる。なおこの場合、切断部材は、ケース部材５６０の外壁部における球出口５６１の上方に形成された凹部（図示せず）に受容された状態で、整流器５５０に取り付けられ、この凹部に前述の突起部７６１およびネジ穴（図示せず）が形成されて、受容部材７００が切断部材とともに整流器５５０に取り付けられる。また、この凹部と球出口５６１とに繋がって、受容部材７００の糸状体導入部７０１および切断部材の刃部を露出させるように、前述のスリット部７６３が形成される。このようにすれば、糸状体Ｉを切断するのに必要な部分だけ露出させることが可能となり、受容部材７００および切断部材が取り付けられた整流器５５０を取り扱ったときに、切断部材に触れて怪我をするのを防止することができる。
【０１７３】
なお、球抜きレバー５３３を操作して上球皿５３０に貯留された遊技球を下球皿５０７へ抜き出す場合には、球抜きレバー５３３の押し操作（揺動操作）に伴って揺動アーム５３５の下部が左方（図３４における右方）へ揺動し、揺動アーム５３５と連結されたスライド部材５５５が第２付勢バネ５５９の付勢力に抗して左方へスライド移動する。このとき、スライド部材５５５のアーム当接部５５６が球抜き部材５９０の連結アーム部５９２に形成されたピン部５９４に当接するため、球抜き部材５９０が第１付勢バネ５９５の付勢力に抗して左方へ揺動し、図３７に示すように、球抜き部材５９０が球抜き口開放位置に揺動変位する。なお、発射ハンドル５０８が回動操作されない場合には、前述のように、球送り部材６０１が連絡口閉鎖位置に揺動変位して、球止め部６０４が連絡口５８４を塞いでいる。
【０１７４】
上述のように、発射ハンドル５０８が回動操作されない状態で球抜きレバー５３３が操作された場合、すなわち、球送り部材６０１が連絡口閉鎖位置に位置し、かつ球抜き部材５９０が球抜き口開放位置に位置するときには、上球皿５３０に貯留された遊技球は、上球皿５３０の右端から球入口５７１を通過して球供給通路５８１を流下し、開放状態にある球抜き口５８３を通過して球抜き通路５８２に達する。このとき、上流側から下流側へ向かうにつれて下方へ連続的に傾斜する傾斜通路５８０に、傾斜通路５８０の上流側に位置して球供給通路５８１が設けられるとともに、傾斜通路５８０の下流側に位置して球抜き通路５８２が設けられているため、球抜き部材５９０を球抜き口開放位置に位置させることで球供給通路５８１の下流側に達した遊技球をスムーズに球抜き通路５８２へ流下させることができる。そのため、上球皿５３０に貯留された遊技球を整流器５５０内に残すことなくスムーズに下球皿５０７（すなわち、パチンコ機ＰＭ２の外部）へ抜き出すことができる。
【０１７５】
またこのとき、球供給通路５８１の下流側に達した遊技球は球止め部６０４の上面で受け止められるが、この球止め部６０４の上面は、傾斜通路５８０の傾斜方向とほぼ同じ方向に傾斜しているため、球供給通路５８１の終端部に達した遊技球をよりスムーズに球抜き通路５８２へ流下させることができる。さらに、球止め部６０４の上面における下流側端部が球抜き口５８３の下端に滑らかに繋がるように構成されているため、球供給通路５８１の終端部に達した遊技球をさらにスムーズに球抜き通路５８２へ流下させることができる。
【０１７６】
そして、上述のように球抜き通路５８２に達した遊技球は、スムーズに球抜き通路５８２を流下して排出口５６２から球皿通路５２８に排出され、球皿通路５２８（図３４を参照）を流下したのち下球皿出口５２９から下球皿５０７に排出される。このようにして、球抜きレバー５３３を操作することで上球皿５３０に貯留された遊技球を整流器５５０内に残すことなくスムーズに下球皿５０７（すなわち、パチンコ機ＰＭ２の外部）へ抜き出すことができる。
【０１７７】
以上説明したように、第２実施形態によれば、球供給通路５８１の延伸方向が変わる方向転換部の近傍に、糸状体Ｉを受容して挟むことが可能な受容部材７００が設けられるため、簡便な構成の受容部材７００により、不正行為者に引っ張られる等して真直ぐに伸びようとする糸状体Ｉを、球供給通路５８１の延伸方向が変わる方向転換部において容易に捕捉することができる。そのため、簡便な構成で、糸状体Ｉおよび糸状体Ｉの付いた遊技球の自由な動きを拘束することが可能となり、糸状体Ｉの付いた遊技球を不正に操作して遊技球の入賞を検出させる不正入賞行為を効果的に抑止することができる。
【０１７８】
なお、上述の第２実施形態において、受容部材７００における糸状体受容部７０２の内側部分に、ヤスリ目を形成するようにしてもよい。このようにすれば、糸状体Ｉと糸状体受容部７０２との間の摩擦力が増えるので、受容部材７００から糸状体Ｉが抜けるのを防止することができる。また、受容部材７００における糸状体受容部７０２の内側部分に、受容部材７００の先端側に向けて返しの付いた突起部を形成するようにしてもよい。このようにしても、受容部材７００から糸状体Ｉが抜けるのを防止することができる。
【０１７９】
また、上述の第２実施形態において、受容部材７００の糸状体受容部７０２が細長いＵ字形に形成されているが、これに限られるものではなく、例えば、糸状体受容部の間隙部が迷路状にもしくは渦巻き状に伸びるように糸状体受容部を形成してもよい。このようにすれば、糸状体受容部の間隙部の形状が複雑になるので、受容部材から糸状体Ｉが抜けるのを防止することができる。
【０１８０】
また、上述の第２実施形態において、ニクロム線を用いて受容部材７００を形成し、ニクロム線を用いた受容部材７００に対して所定時間ごとに通電させるようにしてもよい。このようにすれば、ニクロム線を用いた受容部材７００が発熱するため、受容部材７００が挟んだ樹脂製の糸状体（釣糸等）を切断することが期待できる。
【０１８１】
また、上述の第２実施形態において、受容部材７００が金属線材を用いて形成されているが、これに限られるものではなく、例えば、金属板材を用いて形成されてもよく、糸状体Ｉを受容して挟むことが可能な構成であればよい。
【０１８２】
また、上述の第２実施形態において、上球皿５３０と整流器５５０との間にループ状の球通路を形成してもよい。このようにすれば、ループ状の球通路に通された糸状体がループ形状の部分で巻き付くため、糸状体の付いた遊技球を不正に操作して遊技球の入賞を検出させる不正入賞行為をより効果的に抑止することができる。
【０１８３】
また、上述の第２実施形態において、整流器５５０における球出口５６１の近傍に、受容部材７００が設けられているが、これに限られるものではなく、球供給通路５８１の上流端部で通路形状が屈曲する球入口５７１の近傍に、受容部材が設けられてもよい。
【０１８４】
また、上述の各実施形態では、切断部材が整流器に取り付けられる構成を例示しているが、これに限定されるものではなく、インサートモールドにより切断部材を整流器に配設する構成であってもよい。また、受容部材における糸状体受容部の内周側に、糸状体を切断可能な刃部を形成し、受容部材に切断部材としての機能を持たせるようにしてもよい。
【０１８５】
また、上述の各実施形態では、本発明が適用される弾球遊技機の一例として、パチンコ機を例示して説明したが、これに限定されるものではなく、例えば、アレンジボール、雀球遊技機などについても同様に適用し、同様の効果を得ることができるものである。
【符号の説明】
【０１８６】
ＰＭ  パチンコ機（弾球遊技機）
１  外枠
２  前枠（枠部材）
６  球皿ユニット（６ａ  上球皿、6ｂ  下球皿）
１０  遊技盤
２１  発射機構
２９ａ  第１の球供給通路
５０  整流器
５１  第２の球供給通路（５１ａ  上流部、５１ｂ  下流部）
６０  第１ケース部材
６１  側壁部
６２  球入口
７０  第２ケース部材
７１  側壁部
７４  球出口
７５  ガイド部
７６  凹部
７９  スリット部
１００  受容部材
１０１  糸状体導入部
１０２  糸状体受容部
１１０  切断部材
１１１  本体部
１１２  刃部
ＰＭ２  パチンコ機（弾球遊技機）
５０１  外枠
５０２  前枠（枠部材）
５１０  遊技盤
５２６  発射機構
５３０  上球皿
５５０  整流器
５６０  ケース部材
５６１  球出口
５７０  ケース蓋部材
５７１  球入口
５８１  球供給通路
７００  受容部材
７０１  糸状体導入部
７０２  糸状体受容部
【図１】
2014138838.tif 000003
【図２】
2014138838.tif 000004
【図３】
2014138838.tif 000005
【図４】
2014138838.tif 000006
【図５】
2014138838.tif 000007
【図６】
2014138838.tif 000008
【図７】
2014138838.tif 000009
【図８】
2014138838.tif 000010
【図９】
2014138838.tif 000011
【図１０】
2014138838.tif 000012
【図１１】
2014138838.tif 000013
【図１２】
2014138838.tif 000014
【図１３】
2014138838.tif 000015
【図１４】
2014138838.tif 000016
【図１５】
2014138838.tif 000017
【図１６】
2014138838.tif 000018
【図１７】
2014138838.tif 000019
【図１８】
2014138838.tif 000020
【図１９】
2014138838.tif 000021
【図２０】
2014138838.tif 000022
【図２１】
2014138838.tif 000023
【図２２】
2014138838.tif 000024
【図２３】
2014138838.tif 000025
【図２４】
2014138838.tif 000026
【図２５】
2014138838.tif 000027
【図２６】
2014138838.tif 000028
【図２７】
2014138838.tif 000029
【図２８】
2014138838.tif 000030
【図２９】
2014138838.tif 000031
【図３０】
2014138838.tif 000032
【図３１】
2014138838.tif 000033
【図３２】
2014138838.tif 000034
【図３３】
2014138838.tif 000035
【図３４】
2014138838.tif 000036
【図３５】
2014138838.tif 000037
【図３６】
2014138838.tif 000038
【図３７】
2014138838.tif 000039
【図３８】
2014138838.tif 000040
【図３９】
2014138838.tif 000041
【手続補正書】
【提出日】平成26年1月20日(2014.1.20)
【手続補正１】
【補正対象書類名】特許請求の範囲
【補正対象項目名】全文
【補正方法】変更
【補正の内容】
【特許請求の範囲】
【請求項１】
前面側に所定の遊技領域が設けられた遊技盤と、
前記遊技盤を収容保持する枠部材と、
前記枠部材における前記遊技盤の下側に設けられ、前記枠部材の前面側で遊技球を貯留する球皿と、
前記枠部材における前記球皿の後方側に設けられ、前記球皿に貯留された遊技球を前記遊技領域に向けて打ち出す発射機構と、
前記球皿から前記発射機構へ遊技球を流下させる球供給通路に設けられ、前記球供給通路を流下する遊技球を前記発射機構に送る整流器と、
前記整流器における前記球供給通路の球出口の近傍に取り付けられ、前記球供給通路に通された糸状体を受容して挟むことが可能な受容部材と、
前記受容部材と別体に重なって前記整流器における前記球供給通路の球出口の近傍に取り付けられ、前記受容部材に受容された糸状体を切断可能な切断部材とを備え、
前記整流器における前記球出口に、前記受容部材の糸状体導入部と前記球出口とに繋がるスリット部が形成されることを特徴とする弾球遊技機。
【請求項２】
前記受容部材および前記スリット部は、遊技球が前記発射機構により前記遊技領域に向けて打ち出される方向に沿って延びて形成されることを特徴とする請求項１に記載の弾球遊技機。
【手続補正２】
【補正対象書類名】明細書
【補正対象項目名】０００７
【補正方法】変更
【補正の内容】
【０００７】
このような目的達成のため、本発明に係る弾球遊技機は、前面側に所定の遊技領域が設けられた遊技盤と、前記遊技盤を収容保持する枠部材と、前記枠部材における前記遊技盤の下側に設けられ、前記枠部材の前面側で遊技球を貯留する球皿と、前記枠部材における前記球皿の後方側に設けられ、前記球皿に貯留された遊技球を前記遊技領域に向けて打ち出す発射機構と、前記球皿から前記発射機構へ遊技球を流下させる球供給通路に設けられ、前記球供給通路を流下する遊技球を前記発射機構に送る整流器と、前記整流器における前記球供給通路の球出口の近傍に取り付けられ、前記球供給通路に通された糸状体を受容して挟むことが可能な受容部材と、前記受容部材と別体に重なって前記整流器における前記球供給通路の球出口の近傍に取り付けられ、前記受容部材に受容された糸状体を切断可能な切断部材とを備え、前記整流器における前記球出口に、前記受容部材の糸状体導入部と前記球出口とに繋がるスリット部が形成される。